(57)【特許請求の範囲】
【請求項１】
入力とＶＢＵＳ出力との間に配置されたＤＣ／ＤＣコンバータと、
前記ＤＣ／ＤＣコンバータの入力電流を制御する単一の１次側コントローラと、
複数の制御入力端子に結合され、電力の供給先である複数の外部機器から前記複数の制御入力端子にそれぞれ入力される制御入力信号の信号変換・切替を実施する単一の信号変換・切替回路と、
前記ＶＢＵＳ出力と前記信号変換・切替回路との間に接続された出力キャパシタと、
前記信号変換・切替回路に結合され、前記信号変換・切替回路において信号変換・切替を実施された前記制御入力信号を受信し、前記１次側コントローラにフィードバックする単一の２次側コントローラと
を備え、前記単一の１次側コントローラは、前記単一の２次側コントローラからフィードバックされた前記制御入力信号に基づいて、前記入力電流を制御することによって、対応する前記外部機器に対する前記ＤＣ／ＤＣコンバータの出力電圧値および出力可能電流量を可変にしたことを特徴とする電力供給装置。
【請求項２】
前記２次側コントローラと前記信号変換・切替回路とを結合する結合キャパシタを備えることを特徴とする請求項１に記載の電力供給装置。
【請求項３】
前記信号変換・切替回路と前記制御入力端子とを結合するＡＣ結合キャパシタを備えることを特徴とする請求項１または２に記載の電力供給装置。
【請求項４】
前記信号変換・切替回路は、さらに、前記ＶＢＵＳ出力のＡＣ信号成分の信号変換・切替を実施可能であることを特徴とする請求項１〜３のいずれか１項に記載の電力供給装置。
【請求項５】
前記複数の制御入力端子は、それぞれ、表裏の区別なく前記外部機器から接続可能な表側端子電極と裏側端子電極とを備えることを特徴とする請求項１〜４のいずれか１項に記載の電力供給装置。
【請求項６】
前記１次側コントローラに接続され、対応する前記外部機器毎に前記複数の前記制御入力端子と対に配置される複数のＶＢＵＳ出力に対して、対応する前記外部機器に対する出力電圧を供給するパワー出力回路を備えることを特徴とする請求項１〜５のいずれか１項に記載の電力供給装置。
【請求項７】
前記パワー出力回路は、複数のＤＣ／ＤＣコンバータを備えることを特徴とする請求項６に記載の電力供給装置。
【請求項８】
前記信号変換・切替回路は、
前記２次側コントローラと接続され、周波数変換を実施するプロトコル変換部と、
前記プロトコル変換部と前記制御入力端子との間に配置され、符号変換を実施する通信回路と
を備えることを特徴とする請求項１〜７のいずれか１項に記載の電力供給装置。
【請求項９】
前記出力キャパシタは、前記プロトコル変換部と前記ＶＢＵＳ出力との間に接続されたことを特徴とする請求項８に記載の電力供給装置。
【請求項１０】
前記信号変換・切替回路は、前記２次側コントローラにより制御可能であることを特徴とする請求項１〜９のいずれか１項に記載の電力供給装置。
【請求項１１】
前記信号変換・切替回路は、前記２次側コントローラによって制御され、前記出力キャパシタと前記制御入力端子との間を切り替える切替スイッチを備えることを特徴とする請求項１〜１０のいずれか１項に記載の電力供給装置。
【請求項１２】
前記信号変換・切替回路は、
前記出力キャパシタに接続される第１送受信器と、
前記２次側コントローラによって制御され、前記第１送受信器と前記制御入力端子との間を切り替える切替スイッチと
を備えることを特徴とする請求項１〜１０のいずれか１項に記載の電力供給装置。
【請求項１３】
前記信号変換・切替回路は、前記２次側コントローラによって制御され、前記出力キャパシタと前記制御入力端子との間を切り替える第１送受信器を備えることを特徴とする請求項１〜１０のいずれか１項に記載の電力供給装置。
【請求項１４】
前記信号変換・切替回路は、
前記出力キャパシタに接続される第１送受信器と、
前記制御入力端子に接続される第２送受信器と、
前記２次側コントローラによって制御され、前記第１送受信器と前記第２送受信器との間を切り替える切替スイッチと
を備えることを特徴とする請求項１〜１０のいずれか１項に記載の電力供給装置。
【請求項１５】
前記第１送受信器と前記第２送受信器は、同一構成を備えることを特徴とする請求項１４に記載の電力供給装置。
【請求項１６】
前記第１送受信器と前記第２送受信器は、互いに異なる構成を備えることを特徴とする請求項１４に記載の電力供給装置。
【請求項１７】
前記信号変換・切替回路は、
前記出力キャパシタに接続される第１送受信器と、
複数の前記制御入力端子にそれぞれ接続される複数の第２送受信器と、
前記２次側コントローラによって制御され、前記第１送受信器と複数の前記第２送受信器との間を切り替える切替スイッチと
を備えることを特徴とする請求項１〜１０のいずれか１項に記載の電力供給装置。
【請求項１８】
前記信号変換・切替回路は、前記２次側コントローラによって制御され、前記出力キャパシタと複数の前記制御入力端子との間を切り替える切替スイッチを備えることを特徴とする請求項１〜１０のいずれか１項に記載の電力供給装置。
【請求項１９】
前記１次側コントローラに接続され、対応する前記外部機器毎に複数の前記制御入力端子と対に配置される複数のＶＢＵＳ出力に対して、対応する前記外部機器に対する出力電圧を供給するパワー出力回路を備え、
前記信号変換・切替回路は、前記出力キャパシタと複数の前記制御入力端子を切り替える切替スイッチを備えることを特徴とする請求項１に記載の電力供給装置。
【請求項２０】
前記１次側コントローラに接続され、対応する前記外部機器毎に複数の前記制御入力端子と対に配置される複数のＶＢＵＳ出力に対して、対応する前記外部機器に対する出力電圧を供給するパワー出力回路を備え、
前記信号変換・切替回路は、複数の前記制御入力端子を切り替えるポートセレクタを備えることを特徴とする請求項１に記載の電力供給装置。
【請求項２１】
前記ポートセレクタは、ＣＰＵを備えることを特徴とする請求項２０に記載の電力供給装置。
【請求項２２】
前記ポートセレクタは、複数配置されることを特徴とする請求項２１に記載の電力供給装置。
【請求項２３】
前記信号変換・切替回路は、前記２次側コントローラの内部に配置され、かつ複数のポートセレクタを備えることを特徴とする請求項１〜１０のいずれか１項に記載の電力供給装置。
【請求項２４】
入力とＶＢＵＳ出力との間に配置されたＤＣ／ＤＣコンバータと、
前記ＤＣ／ＤＣコンバータの入力電流を制御する単一の１次側コントローラと、
複数の制御入力端子に結合され、電力の供給先である複数の外部機器から前記複数の制御入力端子にそれぞれ入力される制御入力信号の信号変換・切替を実施する単一の信号変換・切替回路と、
前記信号変換・切替回路に結合され、前記信号変換・切替回路において信号変換・切替を実施された前記制御入力信号を受信し、前記１次側コントローラにフィードバックする単一の２次側コントローラと
を備え、
前記単一の１次側コントローラは、前記単一の２次側コントローラからフィードバックされた前記制御入力信号に基づいて、前記入力電流を制御することによって、対応する前記外部機器に対する前記ＤＣ／ＤＣコンバータの出力電圧値および出力可能電流量を可変にしたことを特徴とする電力供給装置。
【請求項２５】
前記信号変換・切替回路は、前記ＶＢＵＳ出力と前記制御入力端子との間を切り替える切替スイッチを備えることを特徴とする請求項２４に記載の電力供給装置。
【請求項２６】
前記信号変換・切替回路は、複数の制御入力に結合され、前記ＶＢＵＳ出力と前記複数の制御入力端子の制御入力信号を切替える切替スイッチを備えることを特徴とする請求項２４に記載の電力供給装置。
【請求項２７】
前記複数の制御入力端子は、それぞれ、表裏の区別なく前記外部機器から接続可能な表側端子電極と裏側端子電極とを備えることを特徴とする請求項２４に記載の電力供給装置。
【請求項２８】
入力とＶＢＵＳ出力との間に配置されたＤＣ／ＤＣコンバータと、
前記ＤＣ／ＤＣコンバータの入力電流を制御する１次側コントローラと、
制御入力端子に結合された結合キャパシタと、
前記ＶＢＵＳ出力と前記制御入力端子との間に結合された出力キャパシタと、
前記制御入力端子に前記結合キャパシタを介して結合され、前記ＶＢＵＳ出力と前記制御入力端子の制御入力信号を受信し、前記１次側コントローラにフィードバックする２次側コントローラと
を備え、前記１次側コントローラは、前記２次側コントローラからフィードバックされた前記制御入力信号に基づいて、前記入力電流を制御することによって、前記ＤＣ／ＤＣコンバータの出力電圧値および出力可能電流量を可変にしたことを特徴とする電力供給装置。
【請求項２９】
前記２次側コントローラは、前記制御入力信号に基づいて電圧電流判定を行う電圧電流制御回路を備えることを特徴とする請求項１〜２８のいずれか１項に記載の電力供給装置。
【請求項３０】
前記２次側コントローラに接続され、前記制御入力信号を前記１次側コントローラにフィードバックする絶縁回路を備えることを特徴とする請求項１〜２９のいずれか１項に記載の電力供給装置。
【請求項３１】
前記２次側コントローラに接続され、前記制御入力信号を前記絶縁回路にフィードバックする誤差補償用のエラーアンプを備えることを特徴とする請求項３０に記載の電力供給装置。
【請求項３２】
入力とＶＢＵＳ出力との間に配置されたＤＣ／ＤＣコンバータと、
前記ＤＣ／ＤＣコンバータの入力電流を制御する単一の１次側コントローラと、
複数の制御入力端子に結合され、電力の供給先である複数の外部機器から前記複数の制御入力端子にそれぞれ入力される制御入力信号を切替える単一の信号変換・切替回路と、
前記信号変換・切替回路に結合され、前記信号変換・切替回路において切替えられた前記制御入力信号を受信し、前記１次側コントローラにフィードバックする単一の絶縁回路と、
前記ＶＢＵＳ出力と前記信号変換・切替回路との間に接続された出力キャパシタと
を備え、前記単一の１次側コントローラは、前記単一の絶縁回路からフィードバックされた前記制御入力信号に基づいて、前記入力電流を制御することによって、対応する前記外部機器に対する前記ＤＣ／ＤＣコンバータの出力電圧値および出力可能電流量を可変にしたことを特徴とする電力供給装置。
【請求項３３】
前記制御入力端子は、前記信号変換・切替回路に直接接続されることを特徴とする請求項３２に記載の電力供給装置。
【請求項３４】
前記信号変換・切替回路は、前記絶縁回路により制御可能であることを特徴とする請求項３２に記載の電力供給装置。
【請求項３５】
前記１次側コントローラに接続され、対応する前記外部機器毎に複数の前記制御入力端子と対に配置される複数のＶＢＵＳ出力に対して、対応する前記外部機器に対する出力電圧を供給するパワー出力回路を備えることを特徴とする請求項３２に記載の電力供給装置。
【請求項３６】
前記パワー出力回路は、複数のＤＣ／ＤＣコンバータを備えることを特徴とする請求項３５に記載の電力供給装置。
【請求項３７】
前記複数の制御入力端子にそれぞれ結合される複数のＡＣ結合キャパシタを備え、
前記信号変換・切替回路は前記複数のＡＣ結合キャパシタを介して前記複数の制御入力端子に接続されることを特徴とする請求項３２に記載の電力供給装置。
【請求項３８】
前記絶縁回路と前記信号変換・切替回路とを結合する結合キャパシタを備えることを特徴とする請求項３２〜３７のいずれか１項に記載の電力供給装置。
【請求項３９】
前記信号変換・切替回路は、周波数変換、直流レベル変換、振幅レベル変換のいずれかを実行可能であることを特徴とする請求項１〜２７、３２〜３８のいずれか１項に記載の電力供給装置。
【請求項４０】
前記結合キャパシタは、前記絶縁回路に内蔵されていることを特徴とする請求項３８に記載の電力供給装置。
【請求項４１】
前記ＤＣ／ＤＣコンバータの出力に接続され、前記ＤＣ／ＤＣコンバータの出力電圧を遮断するスイッチを備えることを特徴とする請求項１〜４０のいずれか１項に記載の電力供給装置。
【請求項４２】
前記スイッチは、絶縁ゲート型電界効果トランジスタを備えることを特徴とする請求項４１に記載の電力供給装置。
【請求項４３】
前記入力と、前記１次側コントローラとの間に接続され、前記１次側コントローラに電源を供給する電源供給回路を備えることを特徴とする請求項１〜４２のいずれか１項に記載の電力供給装置。
【請求項４４】
ＡＣ入力と前記ＤＣ／ＤＣコンバータの入力との間に接続されたＡＣ／ＤＣコンバータ
を備えることを特徴とする請求項１〜４３のいずれか１項に記載の電力供給装置。
【請求項４５】
前記ＤＣ／ＤＣコンバータは、ダイオード整流型であることを特徴とする請求項１〜４４のいずれか１項に記載の電力供給装置。
【請求項４６】
前記ＤＣ／ＤＣコンバータは、
トランスと、
前記トランスの１次側インダクタンスと接地電位との間に直列接続された第１ＭＯＳトランジスタおよび電流センス用の抵抗と、
前記トランスの２次側インダクタンスと前記ＶＢＵＳ出力との間に接続されたダイオードと、
前記ＶＢＵＳ出力と接地電位との間に接続された第１キャパシタと
を備えることを特徴とする請求項４５に記載の電力供給装置。
【請求項４７】
前記ＤＣ／ＤＣコンバータは、同期整流型であることを特徴とする請求項１〜４４のいずれか１項に記載の電力供給装置。
【請求項４８】
前記ＤＣ／ＤＣコンバータは、
トランスと、
前記トランスの１次側インダクタンスと接地電位との間に直列接続された第１ＭＯＳトランジスタおよび電流センス用の抵抗と、
前記トランスの２次側インダクタンスと前記ＶＢＵＳ出力との間に接続された第２ＭＯＳトランジスタと、
前記ＶＢＵＳ出力と接地電位との間に接続された第１キャパシタと
を備えることを特徴とする請求項４７に記載の電力供給装置。
【請求項４９】
前記２次側コントローラと前記エラーアンプは、一体化されていることを特徴とする請求項３１に記載の電力供給装置。
【請求項５０】
前記２次側コントローラと前記エラーアンプおよび前記絶縁回路は、一体化されていることを特徴とする請求項３１に記載の電力供給装置。
【請求項５１】
前記２次側コントローラと前記エラーアンプと前記絶縁回路および前記1次側コントローラは、一体化されていることを特徴とする請求項３１に記載の電力供給装置。
【請求項５２】
前記制御入力信号は、半二重通信方式に基づく信号を備えることを特徴とする請求項１〜５１のいずれか１項に記載の電力供給装置。
【請求項５３】
過電流保護、過電力保護、過電圧保護、過負荷保護、過温度保護のいずれかの保護機能を備えることを特徴とする請求項１〜５２のいずれか１項に記載の電力供給装置。
【請求項５４】
前記電力供給装置から得られる出力電圧と出力電流との関係は、矩形形状、逆台形形状、逆三角形形状、台形形状、若しくは五角形形状のずれかの形状を採用可能であることを特徴とする請求項１〜５３のいずれか１項に記載の電力供給装置。
【請求項５５】
請求項１〜５４のいずれか１項に記載の電力供給装置を搭載したことを特徴とするＡＣアダプタ。
【請求項５６】
請求項１〜５４のいずれか１項に記載の電力供給装置を搭載したことを特徴とするＡＣチャージャ。
【請求項５７】
請求項１〜５４のいずれか１項に記載の電力供給装置を搭載したことを特徴とする電子機器。
【請求項５８】
前記電子機器は、モニタ、外部ハードディスクドライブ、セットトップボックス、ラップトップＰＣ、タブレットＰＣ、スマートホン、バッテリーチャージャシステム、パーソナルコンピュータ、ドッキングステーション、ディスプレイ、プリンタ、掃除機、冷蔵庫、ファクシミリ、電話機、カーナビゲーション、カーコンピュータ、テレビ、メガネ、ヘッドマウントディスプレイ、扇風機、エアコン、レーザディスプレイ若しくは壁コンセントのいずれかであることを特徴とする請求項５７に記載の電子機器。
【請求項５９】
請求項１〜５４のいずれか１項に記載の電力供給装置を搭載したことを特徴とする電力供給システム。
【請求項６０】
前記電力供給システムは、
プラグを介してコンセントに接続可能なモニタと、
前記モニタに接続された外部ハードディスクドライブ、セットトップボックス、ラップトップＰＣ、タブレットＰＣ、若しくはスマートホンと
を備えることを特徴とする請求項５９に記載の電力供給システム。
【請求項６１】
前記電力供給システムは、
プラグを介してコンセントに接続可能なＵＳＢＰＤアダプタ／チャージャと、
前記ＵＳＢＰＤアダプタ／チャージャに接続されたラップトップＰＣと、
前記ラップトップＰＣに接続された外部ハードディスクドライブ、モニタ、タブレットＰＣ、若しくはスマートホンと
を備えることを特徴とする請求項５９に記載の電力供給システム。
【請求項６２】
前記電力供給システムは、
プラグを介してコンセントに接続可能なＵＳＢＰＤアダプタと、
前記ＵＳＢＰＤアダプタに接続された外部ハードディスクドライブ、モニタ、セットトップボックス、ラップトップＰＣ、タブレットＰＣ、若しくはスマートホンと
を備えることを特徴とする請求項５９に記載の電力供給システム。
【請求項６３】
前記電力供給システムは、
プラグを介してコンセントに接続される高機能ＵＳＢＰＤアダプタ／チャージャと、
前記高機能ＵＳＢＰＤアダプタ／チャージャに接続された外部ハードディスクドライブ、モニタ、セットトップボックス、ラップトップＰＣ、タブレットＰＣ、若しくはスマートホンと
を備えることを特徴とする請求項５９に記載の電力供給システム。
【発明の詳細な説明】
【技術分野】
【０００１】
本実施の形態は、電力供給装置、ＡＣアダプタ、ＡＣチャージャ、電子機器および電力供給システムに関する。
【背景技術】
【０００２】
従来、電力供給を伴う通信規格に対応した端末装置と電力線搬送通信ネットワークとの間で相互通信可能な直流コンセントが提供されている。
【０００３】
データ線を用いた電力供給技術には、パワーオーバーイーサネット（ＰｏＥ：Power Over Ethernet）技術やユニバーサルシリアルバス（ＵＳＢ：Universal Serial Bus）技術がある。
【０００４】
ＵＳＢ技術には、供給電力レベルに応じて、最大２．５ＷのＵＳＢ２．０、最大４．５ＷのＵＳＢ３．１、最大７．５Ｗのバッテリー充電規格ＢＣ１．２がある。
【０００５】
また、ＵＳＢパワーデリバリー仕様は、従来のケーブルやコネクタとも互換性を備え、ＵＳＢ２．０やＵＳＢ３．１、ＵＳＢバッテリー充電規格ＢＣ１．２とも共存する独立した規格である。この規格では、電圧５Ｖ〜１２Ｖ〜２０Ｖ、電流１．５Ａ〜２Ａ〜３Ａ〜５Ａの範囲内で、充電電流・電圧を選択可能であり、１０Ｗ・１８Ｗ・３６Ｗ・６５Ｗ・最大１００ＷまでＵＳＢ充電・給電可能である。
【０００６】
このような電力供給を実施する電源として、ＤＣ／ＤＣコンバータがある。ＤＣ／ＤＣコンバータには、ダイオード整流方式と同期整流方式がある。
【先行技術文献】
【特許文献】
【０００７】
【特許文献１】特開２０１１−８２８０２号公報
【非特許文献】
【０００８】
【非特許文献１】ボブ・ダンスタン（Bob Dunstan）編, “USB Power Delivery Specification Revision 1.0”, ２０１２年７月５日リリース, http://www.usb.org/developers/docs/
【発明の概要】
【発明が解決しようとする課題】
【０００９】
本実施の形態は、複数の機器に対して切替え可能で、かつ出力電圧値および出力可能電流量（ＭＡＸ値）を制御可能な電力給装置、ＡＣアダプタ、ＡＣチャージャ、電子機器および電力供給システムを提供する。
【課題を解決するための手段】
【００１０】
本実施の形態の一態様によれば、入力とＶＢＵＳ出力との間に配置されたＤＣ／ＤＣコンバータと、前記ＤＣ／ＤＣコンバータの入力電流を制御する単一の１次側コントローラと、複数の制御入力端子に結合され、電力の供給先である複数の外部機器から前記複数の制御入力端子にそれぞれ入力される制御入力信号の信号変換・切替を実施する単一の信号変換・切替回路と、前記ＶＢＵＳ出力と前記信号変換・切替回路との間に接続された出力キャパシタと、前記信号変換・切替回路に結合され、前記信号変換・切替回路において信号変換・切替を実施された前記制御入力信号を受信し、前記１次側コントローラにフィードバックする単一の２次側コントローラとを備え、前記単一の１次側コントローラは、前記単一の２次側コントローラからフィードバックされた前記制御入力信号に基づいて、前記入力電流を制御することによって、対応する前記外部機器に対する前記ＤＣ／ＤＣコンバータの出力電圧値および出力可能電流量を可変にした電力供給装置が提供される。
【００１１】
本実施の形態の他の態様によれば、入力とＶＢＵＳ出力との間に配置されたＤＣ／ＤＣコンバータと、前記ＤＣ／ＤＣコンバータの入力電流を制御する単一の１次側コントローラと、複数の制御入力端子に結合され、電力の供給先である複数の外部機器から前記複数の制御入力端子にそれぞれ入力されるの制御入力信号の信号変換・切替を実施する単一の信号変換・切替回路と、前記信号変換・切替回路に結合され、前記信号変換・切替回路において信号変換・切替を実施された前記制御入力信号を受信し、前記１次側コントローラにフィードバックする単一の２次側コントローラとを備え、前記単一の１次側コントローラは、前記単一の２次側コントローラからフィードバックされた前記制御入力信号に基づいて、前記入力電流を制御することによって、対応する前記外部機器に対する前記ＤＣ／ＤＣコンバータの出力電圧値および出力可能電流量を可変にした電力供給装置が提供される。
【００１２】
本実施の形態の他の態様によれば、入力とＶＢＵＳ出力との間に配置されたＤＣ／ＤＣコンバータと、前記ＤＣ／ＤＣコンバータの入力電流を制御する１次側コントローラと、制御入力端子に結合された結合キャパシタと、前記ＶＢＵＳ出力と前記制御入力端子との間に結合された出力キャパシタと、前記制御入力端子に前記結合キャパシタを介して結合され、前記ＶＢＵＳ出力と前記制御入力端子の制御入力信号を受信し、前記１次側コントローラにフィードバックする２次側コントローラとを備え、前記１次側コントローラは、前記２次側コントローラからフィードバックされた前記制御入力信号に基づいて、前記入力電流を制御することによって、前記ＤＣ／ＤＣコンバータの出力電圧値および出力可能電流量を可変にした電力供給装置が提供される。
【００１３】
本実施の形態の他の態様によれば、入力とＶＢＵＳ出力との間に配置されたＤＣ／ＤＣコンバータと、前記ＤＣ／ＤＣコンバータの入力電流を制御する単一の１次側コントローラと、複数の制御入力端子に結合され、電力の供給先である複数の外部機器から前記複数の制御入力端子にそれぞれ入力される制御入力信号を切替える単一の信号変換・切替回路と、前記信号変換・切替回路に結合され、前記信号変換・切替回路において切替えられた前記制御入力信号を受信し、前記１次側コントローラにフィードバックする単一の絶縁回路と、前記ＶＢＵＳ出力と前記信号変換・切替回路との間に接続された出力キャパシタとを備え、前記単一の１次側コントローラは、前記単一の絶縁回路からフィードバックされた前記制御入力信号に基づいて、前記入力電流を制御することによって、対応する前記外部機器に対する前記ＤＣ／ＤＣコンバータの出力電圧値および出力可能電流量を可変にした電力供給装置が提供される。
【００１４】
本実施の形態の他の態様によれば、上記の電力供給装置を搭載したＡＣアダプタが提供される。
【００１５】
本実施の形態の他の態様によれば、上記の電力供給装置を搭載した電子機器が提供される。
【００１６】
本実施の形態の他の態様によれば、上記の電力供給装置を搭載した電力供給システムが提供される。
【発明の効果】
【００１７】
本実施の形態によれば、複数の機器に対して切替え可能で、かつ出力電圧値および出力可能電流量（ＭＡＸ値）を制御可能な電力供給装置、ＡＣアダプタ、ＡＣチャージャ、電子機器および電力供給システムを提供することができる。
【図面の簡単な説明】
【００１８】
【図１】基本技術に係る電力供給装置の模式的回路ブロック構成図。
【図２】第１の実施の形態に係る電力供給装置の模式的回路ブロック構成図。
【図３】第１の実施の形態に係る電力供給装置に適用可能なパワー出力回路の模式的ブロック構成図。
【図４】第１の実施の形態に係る電力供給装置を用いて得られる出力電圧と出力電流との関係を示す模式図であって、（ａ）ＣＶＣＣを表す矩形形状の例、（ｂ）逆台形の「フ」の字形状の例、（ｃ）逆三角形の「フ」の字形状の例、（ｄ）台形形状の例、（ｅ）五角形形状の例。
【図５】第１の実施の形態に係る電力供給装置に適用可能な２次側コントローラおよび信号変換・切替回路の模式的ブロック構成図。
【図６】出力（ＶＢＵＳ）ラインとの接続関係も含めた２次側コントローラおよび信号変換・切替回路の模式的ブロック構成図。
【図７】第１の実施の形態に係る電力供給装置に適用可能な信号変換・切替回路の模式的ブロック構成図(構成例１)。
【図８】第１の実施の形態に係る電力供給装置に適用可能な信号変換・切替回路の模式的ブロック構成図(構成例２)。
【図９】第１の実施の形態に係る電力供給装置に適用可能な信号変換・切替回路の模式的ブロック構成図(構成例３)。
【図１０】第１の実施の形態に係る電力供給装置に適用可能な信号変換・切替回路の模式的ブロック構成図(構成例４)。
【図１１】第１の実施の形態に係る電力供給装置に適用可能な信号変換・切替回路の模式的ブロック構成図(構成例５)。
【図１２】第１の実施の形態に係る電力供給装置に適用可能な信号変換・切替回路の模式的ブロック構成図(構成例６)。
【図１３】第１の実施の形態に係る電力供給装置に適用可能な信号変換・切替回路の模式的ブロック構成図(構成例７)。
【図１４】第１の実施の形態に係る電力供給装置に適用可能な信号変換・切替回路の模式的ブロック構成図(構成例８)。
【図１５】第１の実施の形態に係る電力供給装置に適用可能な信号変換・切替回路の模式的ブロック構成図(構成例９)。
【図１６】（ａ）図１５に示されたポートセレクタの構成例、（ｂ）図１５に示されたポートセレクタの別の構成例。
【図１７】第１の実施の形態に係る電力供給装置に適用可能な信号変換・切替回路の模式的ブロック構成図(構成例１０)。
【図１８】第１の実施の形態に係る電力供給装置間をリセプタクルを介して接続した模式的構成図。
【図１９】第１の実施の形態に係る電力供給装置に適用可能なリセプタクル内部の模式的構成図。
【図２０】第１の実施の形態に係る電力供給装置間をリセプタクルおよびプラグを介して接続した模式的構成図。
【図２１】（ａ）第１の実施の形態に係る電力供給装置間をリセプタクル・プラグケーブルを介して接続した模式的構成図、（ｂ）２つのリセプタクル間の接続関係を示す図。
【図２２】（ａ）第１の実施の形態に係る電力供給装置に適用可能なパワー出力回路とパワー入力回路の接続関係を説明する模式的ブロック構成図、（ｂ）図２２（ａ）に対応する模式的回路構成図。
【図２３】（ａ）図２２（ｂ）に示されたパワー出力回路の具体的な回路構成例、（ｂ）図２３（ａ）に適用可能な双方向スイッチの構成図。
【図２４】第１の実施の形態に係る電力供給装置に適用可能なパワー出力回路の模式的回路構成図（構成例１）。
【図２５】第１の実施の形態に係る電力供給装置に適用可能なパワー出力回路の模式的回路構成図（構成例２）。
【図２６】第１の実施の形態に係る電力供給装置に適用可能なパワー出力回路の模式的回路構成図（構成例３）。
【図２７】第１の実施の形態に係る電力供給装置に適用可能なパワー出力回路の模式的回路構成図（構成例４）。
【図２８】（ａ）第１の実施の形態に係る電力供給装置に適用される２次側コントローラの模式的回路ブロック構成図、（ｂ）第１の実施の形態に係る電力供給装置に適用される２次側コントローラの別の模式的回路ブロック構成図。
【図２９】第１の実施の形態の変形例１に係る電力供給装置の模式的回路ブロック構成図。
【図３０】第１の実施の形態の変形例２に係る電力供給装置の模式的回路ブロック構成図。
【図３１】第１の実施の形態の変形例３に係る電力供給装置の模式的回路ブロック構成図。
【図３２】第１の実施の形態の変形例４に係る電力供給装置の模式的回路ブロック構成図。
【図３３】第１の実施の形態の変形例５に係る電力供給装置の模式的回路ブロック構成図。
【図３４】第１の実施の形態の変形例６に係る電力供給装置の模式的回路ブロック構成図。
【図３５】第２の実施の形態に係る電力供給装置の模式的回路ブロック構成図。
【図３６】第３の実施の形態に係る電力供給装置の模式的回路ブロック構成図。
【図３７】第４の実施の形態に係る電力供給装置の模式的回路ブロック構成図。
【図３８】第５の実施の形態に係る電力供給装置の模式的回路ブロック構成図。
【図３９】第６の実施の形態に係る電力供給装置の模式的回路ブロック構成図。
【図４０】第７の実施の形態に係る電力供給装置の模式的回路ブロック構成図。
【図４１】（ａ）第８の実施の形態に係る電力供給装置の模式的回路ブロック構成図、（ｂ）第８の実施の形態の変形例に係る電力供給装置の模式的回路ブロック構成図。
【図４２】実施の形態に係る電力供給装置に適用されるＭＯＳスイッチの模式的回路ブロック構成図。
【図４３】コンセントに接続可能なプラグとＡＣアダプタ／ＡＣチャージャをケーブルを用いて接続する結線例であって、（ａ）ＡＣアダプタ／ＡＣチャージャ内のＵＳＢＰＤと実施の形態に係る電力供給装置（ＰＤ）を外部のプラグと接続する例、（ｂ）ＡＣアダプタ／ＡＣチャージャ内のＵＳＢＰＤと実施の形態に係る電力供給装置（ＰＤ）を外部のプラグと接続する別の例。
【図４４】コンセントに接続可能なプラグをＡＣアダプタ／ＡＣチャージャに内蔵する例であって、（ａ）ＡＣアダプタ／ＡＣチャージャ内にＵＳＢＰＤと実施の形態に係る電力供給装置（ＰＤ）を備える例、（ｂ）ＡＣアダプタ／ＡＣチャージャに内蔵されたリセプタクルと外部のプラグを接続する例。
【図４５】コンセントに接続可能なプラグとＡＣアダプタ／ＡＣチャージャをケーブルを用いて接続する結線例であって、（ａ）ＡＣアダプタ／ＡＣチャージャ内のＰＤと外部のプラグを接続する例、（ｂ）ＡＣアダプタ／ＡＣチャージャにリセプタクルを備える例、（ｃ）ＡＣアダプタ／ＡＣチャージャに内蔵されたプラグと外部のプラグを接続する例。
【図４６】コンセントに接続可能なプラグとＡＣアダプタ／ＡＣチャージャをＵＳＢＰＤケーブルを用いて接続する結線例であって、（ａ）ＡＣアダプタ／ＡＣチャージャ内のＰＤと外部のプラグを接続する例、（ｂ）ＡＣアダプタ／ＡＣチャージャにリセプタクルを備える例、（ｃ）ＡＣアダプタ／ＡＣチャージャに内蔵されたプラグと外部のプラグを接続する例。
【図４７】コンセントに接続可能なプラグをＡＣアダプタ／ＡＣチャージャに内蔵する例であって、（ａ）ＡＣアダプタ／ＡＣチャージャ内のＰＤと外部のプラグを接続する例、（ｂ）ＡＣアダプタ／ＡＣチャージャにリセプタクルを備える例、（ｃ）ＡＣアダプタ／ＡＣチャージャに内蔵されたプラグと外部のプラグを接続する例。
【図４８】コンセントに接続可能なプラグをＡＣアダプタ／ＡＣチャージャに内蔵する例であって、（ａ）ＡＣアダプタ／ＡＣチャージャ内の複数のＰＤと外部の複数のプラグを接続する例、（ｂ）ＡＣアダプタ／ＡＣチャージャに複数のリセプタクルを備える例、（ｃ）ＡＣアダプタ／ＡＣチャージャ内に内蔵された複数のプラグと外部の複数のプラグを接続する例。
【図４９】（ａ）コンセントに接続可能なプラグと電子機器をケーブルを用いて接続する結線例であって、電子機器内部にＵＳＢＰＤを内蔵する内部回路を複数備え、ＵＳＢＰＤを使用した信号が複数存在する例、（ｂ）コンセントに接続可能なプラグを電子機器に内蔵し、電子機器内部にＵＳＢＰＤを内蔵する内部回路を複数備え、ＵＳＢＰＤを使用した信号が複数存在する例。
【図５０】（ａ）コンセントに接続可能なプラグを電子機器に内蔵し、電子機器内部にＵＳＢＰＤを内蔵する内部回路を複数備え、ＵＳＢＰＤを使用した信号が複数存在する例において、１つの内部回路内に外部に接続されるＵＳＢＰＤを有する例、（ｂ）コンセントに接続可能なプラグを電子機器に内蔵し、電子機器内部にＵＳＢＰＤを内蔵する内部回路を複数備え、ＵＳＢＰＤを使用した信号が複数存在する例において、１つの内部回路内に外部に接続される複数のＵＳＢＰＤを有する例。
【図５１】（ａ）接続対象をスマートホンとする場合の実施の形態に係るＵＳＢＰＤの保護機能の説明図、（ｂ）接続対象をラップトップＰＣとする場合の実施の形態に係るＵＳＢＰＤの保護機能の説明図。
【図５２】リセプタクルを搭載したＡＣアダプタ・ＡＣチャージャ・電子機器に適用可能な実施の形態に係る電力供給装置の模式的鳥瞰構造例。
【図５３】リセプタクルを搭載したＡＣアダプタ・ＡＣチャージャ・電子機器に適用可能な実施の形態に係る電力供給装置の模式的鳥瞰構造例。
【図５４】複数のリセプタクルを搭載したＡＣアダプタ・ＡＣチャージャ・電子機器に適用可能な実施の形態に係る電力供給装置の模式的鳥瞰構造例。
【図５５】プラグを搭載したＡＣアダプタ・ＡＣチャージャ・電子機器に適用可能な実施の形態に係る電力供給装置の模式的鳥瞰構造例。
【図５６】実施の形態に係る電力供給装置において、複数のリセプタクルを介して複数の接続対象と接続する模式的回路ブロック構成図。
【図５７】複数のリセプタクルおよびスイッチを搭載したＡＣアダプタ・ＡＣチャージャ・電子機器に適用可能な実施の形態に係る電力供給装置の模式的鳥瞰構造例。
【図５８】（ａ）複数の実施の形態に係る電力供給装置間で、制御入出力信号をＵＳＢＰＢ通信に使用する例を説明する模式的回路ブロック構成図。（ｂ）図５８（ａ）において、信号変換・切替回路内を制御入出力信号はスルーする場合を示す模式的回路ブロック構成図。
【図５９】実施の形態に係る電力供給装置を適用可能な電力供給システムにおいて、２つのＰＣ間のデータ通信および電力供給を説明する模式的ブロック構成図。
【図６０】（ａ）実施の形態に係る電力供給装置を適用可能な電力供給システムにおいて、２つのユニット間のデータ通信および電力供給を説明する模式的ブロック構成図、（ｂ）実施の形態に係る電力供給装置を内蔵したＡＣアダプタ・スマートホンからなる電力供給システムの模式的ブロック構成図。
【図６１】実施の形態に係る電力供給装置を内蔵した２つのユニットからなる電力供給システムの模式的ブロック構成図。
【図６２】実施の形態に係る電力供給装置を適用可能な電力供給システムにおいて、別の２つのユニットからなる模式的ブロック構成図。
【図６３】実施の形態に係る電力供給装置を適用可能な電力供給システムの第１の模式的ブロック構成図。
【図６４】実施の形態に係る電力供給装置を適用可能な電力供給システムの第２の模式的ブロック構成図。
【図６５】実施の形態に係る電力供給装置を適用可能な電力供給システムの第３の模式的ブロック構成図。
【図６６】実施の形態に係る電力供給装置を適用可能な電力供給システムの第４の模式的ブロック構成図。
【図６７】実施の形態に係る電力供給装置を適用可能な電力供給システムにおいて、ＣＰＵインタフェース内にコントローラおよび信号変換・切替回路が内蔵される構成の模式的ブロック構成図。
【発明を実施するための形態】
【００１９】
次に、図面を参照して、本実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００２０】
又、以下に示す実施の形態は、技術的思想を具体化するための装置や方法を例示するものであって、構成部品の材質、形状、構造、配置等を下記のものに特定するものでない。この実施の形態は、特許請求の範囲において、種々の変更を加えることができる。
【００２１】
[基本技術]
基本技術に係る電力供給装置４Ａは、図１に示すように、入力・出力間に配置され、トランス１５・ダイオードＤ１・キャパシタＣ１およびトランス１５の１次側インダクタンスＬ１に接地電位との間に直列接続されるＭＯＳトランジスタＱ１および抵抗ＲＳから構成されるＤＣ／ＤＣコンバータ１３と、ＭＯＳトランジスタＱ１を制御する１次側コントローラ３０と、入力と１次側コントローラ３０間に接続され、１次側コントローラ３０に電源を供給する電源供給回路１０と、出力に接続され、出力電圧Ｖoと出力電流Ｉoを制御可能な２次側コントローラ１６と、ＤＣ／ＤＣコンバータ１３の出力と２次側コントローラ１６に接続された誤差補償用のエラーアンプ２１と、エラーアンプ２１に接続され、出力情報を１次側コントローラ３０にフィードバックする絶縁回路２０とを備える。
【００２２】
また、２次側コントローラ１６は、ＡＣ結合キャパシタを介して出力（ＶＢＵＳ）に接続されていても良い。
【００２３】
また、基本技術に係る電力供給装置４Ａは、図１に示すように、ＤＣ／ＤＣコンバータ１３の出力と電力線出力（ＶＢＵＳ）を遮断するスイッチＳＷと、スイッチＳＷと電力線出力（ＶＢＵＳ）との間に配置されたフィルタ回路（ＬＦ・ＣＦ）を備える。このスイッチＳＷは、２次側コントローラ１６によって、オン／オフ制御可能である。
【００２４】
基本技術に係る電力供給装置４Ａにおいては、電力線出力（ＶＢＵＳ）に外部からＡＣ信号が重畳されて入力される。
【００２５】
基本技術に係る電力供給装置４Ａにおいては、電力線出力（ＶＢＵＳ）から制御入力信号が２次側コントローラ１６に入力され、出力側の電力情報は、エラーアンプ２１および絶縁回路２０を介して、１次側コントローラ３０にフィードバックされる。１次側コントローラ３０は、ＭＯＳトランジスタＱ１のＯＮ／ＯＦＦを制御し、出力電圧を安定化させる。
【００２６】
また、基本技術に係る電力供給装置４Ａにおいては、電流センス用の抵抗ＲＳにより、１次側インダクタンスＬ１に導通する電流量を検出し、１次側コントローラ３０において、１次側過電流などの電流量を制御している。結果として、基本技術に係る電力供給装置４Ａにおいては、出力電圧値および出力電流値ＭＡＸ可変機能を有する。
【００２７】
基本技術に係る電力供給装置４Ａにおいては、２次側コントローラ１６から１次側コントローラ３０へのフィードバック制御によって、降圧型ＤＣ／ＤＣコンバータ１３の出力電圧値および出力可能電流量（ＭＡＸ値）可変機能を有する。このため、出力に接続される負荷（例えば、スマートホン、ラップトップＰＣ、タブレットＰＣなど）に応じて、出力電圧Ｖoと出力電流Ｉoとの関係に可変機能を有する。
【００２８】
出力側のフィルタコイルで形成されるインダクタンスＬＦは分離用のインダクタンスである。すなわち、インダクタンスＬＦとキャパシタＣＦにより構成されるフィルタ回路によって、出力から制御入力信号がＤＣ／ＤＣコンバータ１３に入力されるのを分離している。
【００２９】
[第１の実施の形態]
第１の実施の形態に係る電力供給装置４は、図２に示すように、入力とＶＢＵＳ出力との間に配置されたＤＣ／ＤＣコンバータ１３と、ＤＣ／ＤＣコンバータ１３の入力電流を制御する１次側コントローラ３０と、制御入力に結合され、制御入力の制御入力信号の信号変換・切替を実施する信号変換・切替回路２５と、ＶＢＵＳ出力と信号変換・切替回路２５との間に接続された出力キャパシタＣOと、信号変換・切替回路２５に結合され、信号変換・切替回路２５において信号変換・切替を実施された制御入力信号を受信し、１次側コントローラ３０にフィードバックする２次側コントローラ１６とを備える。ここで、１次側コントローラ３０は、２次側コントローラ１６からフィードバックされた制御入力信号に基づいて、入力電流を制御することによって、ＤＣ／ＤＣコンバータ１３の出力電圧値および出力可能電流量（ＭＡＸ値）を可変にする。
【００３０】
また、第１の実施の形態に係る電力供給装置４は、図２に示すように、２次側コントローラ１６と信号変換・切替回路２５とを結合する結合キャパシタＣCを備えていても良い。
【００３１】
また、図示は省略するが、信号変換・切替回路２５と制御入力とを結合するＡＣ結合キャパシタ（図示省略）を備えていても良い。
【００３２】
また、信号変換・切替回路２５は、さらに、ＶＢＵＳ出力のＡＣ信号成分の信号変換・切替を実施可能である。ＶＢＵＳ出力のＡＣ信号成分は、ＶＢＵＳ出力と信号変換・切替回路２５との間に接続された出力キャパシタＣOを介して、信号変換・切替回路２５に結合される。
【００３３】
また、第１の実施の形態に係る電力供給装置４において、信号変換・切替回路２５は、図２に示すように、複数の制御入力に結合され、複数の制御入力信号の信号変換・切替を実施しても良い。
【００３４】
また、第１の実施の形態に係る電力供給装置４は、図２に示すように、１次側コントローラ３０に接続され、複数の制御入力と対に配置される複数のＶＢＵＳパワー出力に対して出力電圧を供給するパワー出力回路１３０を備えていても良い。
【００３５】
第１の実施の形態に係る電力供給装置４に適用可能なパワー出力回路１３０の模式的ブロック構成は、図３に示すように表わされる。第１の実施の形態に係る電力供給装置４に適用可能なパワー出力回路１３０は、図３に示すように、複数のＤＣ／ＤＣコンバータ１３1・１３2・…・１３nを備えていても良い。
【００３６】
信号変換・切替回路２５において切替えられた制御入力信号は、２次側コントローラ１６の通信ピンＣＯＭに入力される。
【００３７】
また、第１の実施の形態に係る電力供給装置４は、図２に示すように、複数の制御端子ＣＴ１・ＣＴ２・…・ＣＴｎを備え、複数の制御入力は、複数の制御端子ＣＴ１・ＣＴ２・…・ＣＴｎに結合されていても良い。また、複数の制御端子ＣＴ１・ＣＴ２・…・ＣＴｎを介して、外部機器には、第１の実施の形態に係る電力供給装置４の制御出力信号が出力可能である。
【００３８】
また、第１の実施の形態に係る電力供給装置４は、図２に示すように、複数のＶＢＵＳパワー出力端子ＰＴ１・ＰＴ２・…・ＰＴｎを備え、パワー出力回路１３０は、複数のＶＢＵＳパワー出力端子ＰＴ１・ＰＴ２・…・ＰＴｎを介して出力電圧を供給可能である。
【００３９】
また、第１の実施の形態に係る電力供給装置４は、複数の制御入力に結合されるＡＣ結合キャパシタ（図示省略）を備え、信号変換・切替回路２５はＡＣ結合キャパシタを介して複数の制御入力に結合されていても良い。
【００４０】
また、複数の制御入力は、信号変換・切替回路２５に直接接続されていても良い。すなわち、信号変換・切替回路２５には複数の制御入力の制御入力信号をＡＣ結合キャパシタを介さず、図２に示すように、直接入力しても良い。
【００４１】
また、第１の実施の形態に係る電力供給装置４は、２次側コントローラ１６と信号変換・切替回路２５とを結合する結合キャパシタＣCを備えていても良い。また、２次側コントローラ１６と信号変換・切替回路２５との間は、結合キャパシタＣCを介さず、直接接続されていても良い。
【００４２】
また、第１の実施の形態に係る電力供給装置４において、信号変換・切替回路２５は、例えば、周波数変換、直流レベル変換、振幅レベル変換のいずれかを実行可能である。
【００４３】
また、第１の実施の形態に係る電力供給装置４において、信号変換・切替回路２５は、２次側コントローラ１６によって制御されていても良い。
【００４４】
また、第１の実施の形態に係る電力供給装置４は、図２に示すように、２次側コントローラ１６に接続され、制御入力信号を１次側コントローラ３０にフィードバックする絶縁回路２０を備えていても良い。絶縁回路２０には、キャパシタ、フォトカプラ、トランスなどを適用可能である。また、用途に応じて、絶縁ドライバ付き双方向トランス、双方向素子などを適用しても良い。
【００４５】
また、第１の実施の形態に係る電力供給装置４は、図２に示すように、２次側コントローラ１６に接続され、制御入力信号を絶縁回路２０にフィードバックする誤差補償用のエラーアンプ２１を備えていても良い。エラーアンプ２１は、２次側コントローラ１６によって制御され、絶縁回路２０にフィードバックする制御入力信号の誤差補償を実施可能である。
【００４６】
また、第１の実施の形態に係る電力供給装置４は、図２に示すように、ＤＣ／ＤＣコンバータ１３の出力に接続され、ＤＣ／ＤＣコンバータ１３の出力電圧を遮断するスイッチＳＷを備えていても良い。このスイッチＳＷにより、ＤＣ／ＤＣコンバータ１３の出力と電力線出力（ＶＢＵＳ）を遮断することができる。このスイッチＳＷは、２次側コントローラ１６によって、オン／オフ制御可能である。スイッチＳＷは、絶縁ゲート型電界効果トランジスタ(ＭＯＳＦＥＴ:Metal Oxide Semiconductor Field Effect Transistor)を備えていても良い。
【００４７】
また、第１の実施の形態に係る電力供給装置４は、図２に示すように、ＤＣ／ＤＣコンバータ１３の入力と、１次側コントローラ３０との間に接続され、１次側コントローラ３０に電源を供給する電源供給回路１０を備えていても良い。
【００４８】
第１の実施の形態に係る電力供給装置４においては、電力線出力（ＶＢＵＳ）に外部からＡＣ信号が重畳されて入力される。すなわち、電力線出力（ＶＢＵＳ）と共に複数の制御入力を備える。このため、分離用のインダクタンスＬＦが必要となる。インダクタンスＬＦとキャパシタＣＦにより構成されるフィルタ回路によって、出力から制御入力信号がＤＣ／ＤＣコンバータ１３に入力されるのを分離することができる。
【００４９】
第１の実施の形態に係る電力供給装置４においては、複数の制御入力から制御入力信号が入力され、さらに信号変換・切替回路２５において切替えられた制御入力信号が２次側コントローラ１６に入力され、この制御入力信号により、出力側の電力情報を含む制御情報は、エラーアンプ１８および絶縁回路２０を介して、１次側コントローラ３０にフィードバックされる。１次側コントローラ３０は、ＭＯＳトランジスタＱ１のＯＮ／ＯＦＦを制御し、出力電圧を安定化させる。
【００５０】
第１の実施の形態に係る電力供給装置４においては、２次側コントローラ１６から１次側コントローラ３０へのフィードバック制御によって、降圧型ＤＣ／ＤＣコンバータ１３の出力電圧値および出力可能電流量（ＭＡＸ値）可変機能を有する。このため、出力に接続される負荷（例えば、スマートホン、ラップトップＰＣ、タブレットＰＣなど）に応じて、出力電圧Ｖoと出力電流Ｉoとの関係に可変機能を有する。
【００５１】
第１の実施の形態に係る電力供給装置４を用いて得られる出力電圧Ｖoと出力電流Ｉoとの関係は、図４（ａ）に示すような矩形形状、図４（ｂ）に示すような逆台形の「フ」の字形状、図４（ｃ）に示すような逆三角形の「フ」の字形状、図４（ｄ）に示すような台形形状、図４（ｅ）に示すような五角形形状など、さまざまな形状を採用可能である。例えば、図４（ａ）に示す矩形形状は、ＣＶＣＣ（Constant Voltage Constant Current）の例である。
【００５２】
第１の実施の形態に係る電力供給装置に適用可能な２次側コントローラ１６および信号変換・切替回路２５の模式的ブロック構成は、図５に示すように表わされる。また、出力（ＶＢＵＳ）ラインとの接続関係も含めた２次側コントローラ１６および信号変換・切替回路２５の模式的ブロック構成は、図６に示すように表わされる。
【００５３】
第１の実施の形態に係る電力供給装置において、信号変換・切替回路２５は、図５に示すように、２次側コントローラ１６と接続され、周波数変換を実施するプロトコル変換部２５Ｐと、プロトコル変換部２５Ｐと制御入力との間に配置され、符号変換を実施する通信回路２５Ｃとを備えていても良い。
【００５４】
また、第１の実施の形態に係る電力供給装置において、出力キャパシタＣOは、図６に示すように、プロトコル変換部２５ＰとＶＢＵＳ出力との間に接続されていても良い。
【００５５】
信号変換・切替回路２５は、２次側コントローラ１６により制御可能である。
【００５６】
第１の実施の形態に係る電力供給装置においては、複数の制御端子ＣＴ１・ＣＴ２・…・ＣＴｎにおける制御入力は、通信回路２５Ｃにおいて符号化変調され、かつプロトコル変換部２５Ｐにおいて、例えば周波数ｆ１→ｆ２に周波数変換されて、２次側コントローラ１６に入力される。
【００５７】
また、複数の制御端子ＣＴ１・ＣＴ２・…・ＣＴｎを介して、外部機器には、第１の実施の形態に係る電力供給装置４の制御出力信号が出力可能である。すなわち、２次側コントローラ１６からの制御信号も、プロトコル変換部２５Ｐにおいて、例えば周波数ｆ２→ｆ１に周波数変換され、かつ通信回路２５Ｃにおいて符号化変調されて、複数の制御端子ＣＴ１・ＣＴ２・…・ＣＴｎに出力可能である。
【００５８】
また、ＶＢＵＳ出力に重畳されるＡＣ信号成分は、出力キャパシタＣOを介して、プロトコル変換部２５Ｐにおいて、例えば周波数ｆ１→ｆ２に周波数変換され、かつ通信回路２５Ｃにおいて符号化変調されて、２次側コントローラ１６に入力される。また、２次側コントローラ１６からの制御信号も、プロトコル変換部２５Ｐにおいて、例えば周波数ｆ２→ｆ１に周波数変換され、かつ通信回路２５Ｃにおいて符号化変調されて、出力キャパシタＣOを介して、ＶＢＵＳ出力に出力可能である。このように、ＶＢＵＳ出力を介しても、外部機器には、第１の実施の形態に係る電力供給装置４の制御出力信号が出力可能である。
【００５９】
（信号変換・切替回路の構成）
（構成例１)
第１の実施の形態に係る電力供給装置に適用可能な信号変換・切替回路の模式的ブロック構成例１は、図７に示すように表される。
【００６０】
第１の実施の形態に係る電力供給装置において、信号変換・切替回路２５Ｓは、図７に示すように、２次側コントローラ１６によって制御され、出力キャパシタＣOと、制御端子ＣＴに入力される制御入力との間を切り替える切替スイッチ（Ｓ１・Ｔ０・Ｔ１）を備えていても良い。
【００６１】
（構成例２）
第１の実施の形態に係る電力供給装置に適用可能な信号変換・切替回路の模式的ブロック構成例２は、図８に示すように表される。
【００６２】
第１の実施の形態に係る電力供給装置において、信号変換・切替回路２５Ｓは、図８に示すように、出力キャパシタＣOに接続される送受信器２６と、２次側コントローラ１６によって制御され、送受信器２６と制御端子ＣＴに入力される制御入力との間を切り替える切替スイッチ（Ｓ１・Ｔ０・Ｔ１）とを備えていても良い。
【００６３】
（構成例３）
第１の実施の形態に係る電力供給装置に適用可能な信号変換・切替回路の模式的ブロック構成例３は、図９に示すように表される。
【００６４】
第１の実施の形態に係る電力供給装置において、信号変換・切替回路２５Ｓは、図９に示すように、２次側コントローラ１６によって制御され、出力キャパシタＣOと制御端子ＣＴに入力される制御入力との間を切り替える送受信器２６を備えていても良い。ここで、送受信器２６は、出力キャパシタＣOと制御端子ＣＴに入力される制御入力との間を送受信信号変換・切替を実施可能である。
【００６５】
（構成例４）
第１の実施の形態に係る電力供給装置に適用可能な信号変換・切替回路の模式的ブロック構成例４は、図１０に示すように表される。
【００６６】
第１の実施の形態に係る電力供給装置において、信号変換・切替回路２５Ｓは、図１０に示すように、出力キャパシタＣOに接続される第１送受信器２６0と、制御端子ＣＴに入力される制御入力に接続される第２送受信器２６1と、２次側コントローラ１６によって制御され、第１送受信器と第２送受信器２６1との間を切り替える切替スイッチ（Ｓ１・Ｔ０・Ｔ１）とを備えていても良い。ここで、第１送受信器２６0と第２送受信器２６1は、同一構成を備える。
【００６７】
（構成例５）
第１の実施の形態に係る電力供給装置に適用可能な信号変換・切替回路の模式的ブロック構成例５は、図１１に示すように表される。
【００６８】
第１の実施の形態に係る電力供給装置において、信号変換・切替回路２５Ｓは、図１１に示すように、出力キャパシタＣOに接続される第１送受信器２６0と、制御端子ＣＴに入力される制御入力に接続される第２送受信器２６1と、２次側コントローラ１６によって制御され、第１送受信器と第２送受信器２６1との間を切り替える切替スイッチ（Ｓ１・Ｔ０・Ｔ１）とを備えていても良い。ここで、第１送受信器２６0と第２送受信器２６1は、互いに異なる構成を備える。
【００６９】
（構成例６）
第１の実施の形態に係る電力供給装置に適用可能な信号変換・切替回路の模式的ブロック構成例６は、図１２に示すように表される。
【００７０】
第１の実施の形態に係る電力供給装置において、信号変換・切替回路２５Ｓは、図１２に示すように、出力キャパシタＣOに接続される第１送受信器２６0と、複数の制御端子ＣＴ１・ＣＴ２・ＣＴ３に入力される制御入力にそれぞれ接続される複数の第２送受信器２６1・２６2・２６3と、２次側コントローラ１６によって制御され、第１送受信器２６0と複数の第２送受信器２６1・２６2・２６3との間を切り替える切替スイッチ（Ｓ１・Ｔ０・Ｔ１）とを備えていても良い。ここで、複数の第２送受信器２６1・２６2・２６3は、同一構成を備え、第１送受信器２６0と第２送受信器２６1・２６2・２６3は、互いに異なる構成を備えていても良い。
【００７１】
（構成例７）
第１の実施の形態に係る電力供給装置に適用可能な信号変換・切替回路の模式的ブロック構成例７は、図１３に示すように表される。
【００７２】
第１の実施の形態に係る電力供給装置において、信号変換・切替回路２５Ｓは、図１３に示すように、２次側コントローラ１６によって制御され、出力キャパシタＣOと複数の制御端子ＣＴ１・ＣＴ２・ＣＴ３・…・ＣＴｎに入力される複数の制御入力との間を切り替える切替スイッチ（Ｓ１・Ｔ０・Ｔ１・Ｔ２・Ｔ３・…・Ｔｎ）とを備えていても良い。
【００７３】
（構成例８）
第１の実施の形態に係る電力供給装置に適用可能な信号変換・切替回路の模式的ブロック構成例８は、図１４に示すように表される。
【００７４】
第１の実施の形態に係る電力供給装置は、図１４に示すように、１次側コントローラ３０に接続され、複数の制御入力と対に配置される複数のＶＢＵＳ出力に対して出力電圧を供給するパワー出力回路１３０を備え、信号変換・切替回路２５Ｓは、複数の制御入力を切り替える切替スイッチ（Ｓ１・Ｔ０・Ｔ１・Ｔ２・Ｔ３・…・Ｔｎ）を備えていても良い。
【００７５】
また、図１４に示すように、複数の制御入力は、複数の制御端子ＣＴ１・ＣＴ２・…・ＣＴｎに結合され、複数の制御端子ＣＴ１・ＣＴ２・…・ＣＴｎを介して、外部機器には、第１の実施の形態に係る電力供給装置４の制御出力信号が出力可能である。
【００７６】
また、図１４に示すように、パワー出力回路１３０は、複数のＶＢＵＳパワー出力端子ＰＴ１・ＰＴ２・…・ＰＴｎを介して出力電圧を供給可能である。
【００７７】
（構成例９）
第１の実施の形態に係る電力供給装置に適用可能な信号変換・切替回路の模式的ブロック構成例９は、図１５に示すように表される。
【００７８】
第１の実施の形態に係る電力供給装置は、図１５に示すように、１次側コントローラ３０に接続され、複数の制御入力と対に配置される複数のＶＢＵＳ出力に対して出力電圧を供給するパワー出力回路１３０を備え、信号変換・切替回路２５Ｓは、複数の制御入力を切り替えるポートセレクタ１１６を備えていても良い。
【００７９】
また、図１５に示すように、複数の制御入力は、複数の制御端子ＣＴ１・ＣＴ２・…・ＣＴｎに結合され、複数の制御端子ＣＴ１・ＣＴ２・…・ＣＴｎを介して、外部機器には、第１の実施の形態に係る電力供給装置４の制御出力信号が出力可能である。
【００８０】
また、図１５に示すように、パワー出力回路１３０は、複数のＶＢＵＳパワー出力端子ＰＴ１・ＰＴ２・…・ＰＴｎを介して出力電圧を供給可能である。
【００８１】
また、ポートセレクタ１１６の構成例は、図１６（ａ）に示すように表わされ、別の構成例は、図１６（ｂ）に示すように表わされる。
【００８２】
ポートセレクタ１１６は、図１６（ａ）に示すように、ＣＰＵ１２５と、ＣＰＵ１２５に接続され、複数の制御端子ＣＴ１・ＣＴ２・…・ＣＴｎを切り替えるスイッチＳＷを備えていても良い。
【００８３】
また、ポートセレクタ１１６は、図１６（ｂ）に示すように、複数の制御端子ＣＴ１・ＣＴ２・…・ＣＴｎに接続されたＣＰＵ１２５を備えていても良い。すなわち、図１６（ｂ）に示された例では、ＣＰＵ１２５自身が複数の制御端子ＣＴ１・ＣＴ２・…・ＣＴｎを切り替えるスイッチ機能を備えていても良い。
【００８４】
（構成例１０）
第１の実施の形態に係る電力供給装置に適用可能な信号変換・切替回路の模式的ブロック構成例１０は、図１７に示すように表わされる。
【００８５】
第１の実施の形態に係る電力供給装置において、信号変換・切替回路２５Ｓは、図１７に示すように、２次側コントローラ１６の内部に配置され、かつ複数のポートセレクタ１１６1・１１６2を備えていても良い。
【００８６】
図１７に示すように、制御入力端子ＣＴ１・ＣＴ２は、ポートセレクタ１１６1に接続され、制御入力端子ＣＴ３・ＣＴ４は、ポートセレクタ１１６2に接続されている。
【００８７】
第１の実施の形態に係る電力供給装置は、図１４の構成例８若しくは図１５の構成例９と同様に、１次側コントローラ３０に接続され、複数の制御入力と対に配置される複数のＶＢＵＳ出力に対して出力電圧を供給するパワー出力回路を備えていても良い。
【００８８】
また、ポートセレクタ１１６1・１１６2は、図１６（ａ）・図１６（ｂ）の構成例９と同様に、ＣＰＵと、ＣＰＵに接続され、複数の制御端子を切り替えるスイッチを備えていても良く、また、複数の制御端子に接続されたＣＰＵを備えていても良い。
【００８９】
（リセプタクルを介する接続例）
第１の実施の形態に係る電力供給装置間をリセプタクル４１Ｒ・４２Ｒを介して接続した模式的構成は、図１８に示すように表わされる。
【００９０】
リセプタクル４１Ｒ・４２Ｒは、それぞれＶＢＵＳ端子、ＣＣ１端子、ＣＣ２端子、Ｄ−端子、Ｄ＋端子、ＧＮＤ端子を有し、第１の実施の形態に係る電力供給装置間をそれぞれ接続する。
【００９１】
ＶＢＵＳ端子は、装置同士が双方向通信するための電力ラインＰＯＬに接続される。一方が負荷（ＬＯＡＤ）、他方は例えば、約５Ｖ〜約２０Ｖ（ＭＡＸ）の可変電源に接続される。ここで、可変電源が、第１の実施の形態に係る電力供給装置の出力電圧に相当する。ＧＮＤ端子は、接地端子である。
【００９２】
ＣＣ１端子・ＣＣ２端子は、装置同士が双方向通信するための通信専用ラインＣＯＬに接続され通信端子である。ＣＣ１端子には、電源ＶＤＤ・インピーダンス回路Ｚ１・Ｚ２によって、一定電圧が供給可能なように設定されており、一方のＣＣ１端子から、例えばデータ（ＢＭＣ）が供給され、他方のＣＣ１端子において、コンパレータを介して受信される。ＣＣ１端子は、一定電圧を供給する代わりに、定電流源に接続されていても良い。ここで、インピーダンス回路Ｚ１・Ｚ２は、それぞれ例えば電流源と抵抗との並列回路で構成可能であり、電流源若しくは抵抗のいずれかを選択することができる。また、一方のＣＣ２端子には、電圧制御レギュレータ（ＶＣＯＮ）が接続され、他方のＣＣ２端子には、負荷（ＬＯＡＤ）が接続されていても良い。
【００９３】
Ｄ−端子・Ｄ＋端子は、フリッピング機能を実現するシリアルデータインタフェース端子である。
【００９４】
（リセプタクル内部の構成例）
第１の実施の形態に係る電力供給装置に適用可能なリセプタクル４１Ｒ（４２Ｒ）内部の模式的構成は、図１９に示すように表わされる。ここで、リセプタクル４１Ｒ（４２Ｒ）の内部構成は、ＶＢＵＳ、ＣＣ１、ＣＣ２、Ｄ−、Ｄ＋、ＧＮＤ端子が、端子配置基板の両面に配置される。このため、表裏の区別が無い。
【００９５】
（リセプタクルおよびプラグを介する接続例）
第１の実施の形態に係る電力供給装置間をリセプタクル４１Ｒ（４２Ｒ）およびプラグ４１Ｐ（４２Ｐ）を介して接続した模式的構成は、図２０に示すように表わされる。図２０に示すように、リセプタクル４１Ｒ（４２Ｒ）には、プラグ４１Ｐ（４２Ｐ）を挿入して電力ラインＰＯＬを介して電力供給が可能となり、通信専用ラインＣＯＬを介してデータ通信が可能となる。
【００９６】
第１の実施の形態に係る電力供給装置間をリセプタクル４１Ｒ・４２Ｒ・プラグ２・ケーブル（ＰＯＬ／ＣＯＬ）を介して接続した模式的構成は、図２１（ａ）に示すように表される。ここで、プラグ２は、図２０に示されるプラグ４１Ｐ（４２Ｐ）に対応する。
【００９７】
プラグ２は、図１９に示すリセプタクル４１Ｒ・４２Ｒの形状に対応して、片面に電極を備え、ＶＢＵＳ、ＣＣ１、ＣＣ２、Ｄ−、Ｄ＋、ＧＮＤ端子を有する。さらに、プラグ２は、裏面側にも電極を備え、ＧＮＤ、Ｄ＋、Ｄ−、ＣＣ２、ＣＣ１、ＶＢＵＳ端子を有する。プラグ２は、改良型ＵＳＢプラグ、リセプタクル４１Ｒ（４２Ｒ）は、改良型ＵＳＢリセプタクルと呼称することができる。
【００９８】
２つのリセプタクル４１Ｒ・４２Ｒ間の接続関係は、図２１（ｂ）に示すように表される。２つのリセプタクル４１Ｒ・４２Ｒ間の接続関係は、図２１（ｂ）に示すように、リセプタクル４１Ｒ・４２Ｒが、プラグ４１Ｐ・４２Ｐとの間で、ノーマル接続Ｎ・ノーマル接続Ｎの関係、ノーマル接続Ｎ・リバース接続Ｒの関係、リバース接続Ｒ・ノーマル接続Ｎの関係、リバース接続Ｒ・リバース接続Ｒの関係の４通りの接続関係が可能である。
【００９９】
（パワー回路間の接続関係）
第１の実施の形態に係る電力供給装置に適用可能なパワー出力回路１３０と負荷回路１３４の接続関係を説明する模式的ブロック構成は、図２２（ａ）に示すように表され、図２２（ａ）に対応する模式的回路構成は、図２２（ｂ）に示すように表される。
【０１００】
負荷回路１３４は、リセプタクル４１Ｒ・４２Ｒ間の接続により外部接続される外部装置内に配置されているものと想定することができる。
【０１０１】
図２２（ａ）に示す例では、パワー出力回路１３０には、複数のＶＢＵＳ出力が存在し、それぞれが、電力ラインＰＯＬ１・ＰＯＬ２・ＰＬＯ３を介して、負荷回路１３４に接続されている。パワー出力回路１３０は、図２２（ｂ）に示すように、複数のスイッチ（ＳＷＰ・Ｐ１・Ｐ２・Ｐ３）を備え、負荷回路１３４は、電力ラインＰＯＬ１・ＰＯＬ２・ＰＬＯ３に接続される複数のスイッチ（ＳＷＰ・Ｐ１・Ｐ２・Ｐ３）を備え、負荷１・負荷２・負荷３に接続されている。パワー出力回路１３０・負荷回路１３４間は、双方向接続可能である。
【０１０２】
図２２（ｂ）に示されたパワー出力回路１３０の具体的な回路構成は、図２３（ａ）に示すように表される。パワー出力回路１３０は、図２３（ａ）に示すように、1次側コントローラ３０に接続されるバッファ１３６と、バッファ１３６の出力に接続される複数のスイッチ（ＳＷＰ１・ＳＷＰ２・ＳＷＰ３）を備える。ここで、複数のスイッチ（ＳＷＰ１・ＳＷＰ２・ＳＷＰ３）は、例えば、図２３（ｂ）に示すように、双方向スイッチで構成可能である。
【０１０３】
（パワー出力回路の構成）
（構成例１）
第１の実施の形態に係る電力供給装置に適用可能なパワー出力回路１３０の模式的回路構成例１は、図２４に示すように表される。
【０１０４】
第１の実施の形態に係る電力供給装置に適用可能なパワー出力回路１３０の模式的回路構成例１は、図２４に示すように、ダイオード整流型ＤＣ／ＤＣコンバータ１３のトランス１５の２次側インダクタンスＬ２から分岐された構成を備える。すなわち、ダイオードＤ１１・キャパシタＣ１１の出力からスイッチＳＷ１・フィルタ回路ＬＦ１・ＣＦ１を介してＶＢＵＳ出力ＶＢＵＳ１が得られ、ダイオードＤ１２・キャパシタＣ１２の出力からスイッチＳＷ２・フィルタ回路ＬＦ２・ＣＦ２を介してＶＢＵＳ出力ＶＢＵＳ２が得られ、ダイオードＤ１３・キャパシタＣ１３の出力からスイッチＳＷ３・フィルタ回路ＬＦ３・ＣＦ３を介してのＶＢＵＳ出力ＶＢＵＳ３が得られる。
【０１０５】
（構成例２）
第１の実施の形態に係る電力供給装置に適用可能なパワー出力回路の模式的回路構成例２は、図２５に示すように表される。
【０１０６】
第１の実施の形態に係る電力供給装置に適用可能なパワー出力回路１３０の模式的回路構成例２は、図２５に示すように、複数のＤＣ／ＤＣコンバータ１３1・１３2・…・１３nを備える。すなわち、ＤＣ／ＤＣコンバータ１３1の出力からスイッチＳＷ１・フィルタ回路ＬＦ１・ＣＦ１を介してＶＢＵＳ出力ＶＢＵＳ１が得られ、ＤＣ／ＤＣコンバータ１３2の出力からスイッチＳＷ２・フィルタ回路ＬＦ２・ＣＦ２を介してＶＢＵＳ出力ＶＢＵＳ２が得られ、…、ＤＣ／ＤＣコンバータ１３nの出力からスイッチＳＷｎ・フィルタ回路ＬＦｎ・ＣＦｎを介してのＶＢＵＳ出力ＶＢＵＳｎが得られる。
【０１０７】
（構成例３）
第１の実施の形態に係る電力供給装置に適用可能なパワー出力回路の模式的回路構成例３は、図２６に示すように表される。
【０１０８】
第１の実施の形態に係る電力供給装置に適用可能なパワー出力回路１３０の模式的回路構成例３は、図２６に示すように、ダイオード整流型ＤＣ／ＤＣコンバータ１３と、ダイオード整流型ＤＣ／ＤＣコンバータ１３の出力に接続された複数のＤＣ／ＤＣコンバータ１１３1・１１３2・…・１１３nを備える。すなわち、ＤＣ／ＤＣコンバータ１１３1の出力からスイッチＳＷ１・フィルタ回路ＬＦ１・ＣＦ１を介してＶＢＵＳ出力ＶＢＵＳ１が得られ、ＤＣ／ＤＣコンバータ１１３2の出力からスイッチＳＷ２・フィルタ回路ＬＦ２・ＣＦ２を介してＶＢＵＳ出力ＶＢＵＳ２が得られ、…、ＤＣ／ＤＣコンバータ１１３nの出力からスイッチＳＷｎ・フィルタ回路ＬＦｎ・ＣＦｎを介してのＶＢＵＳ出力ＶＢＵＳｎが得られる。
【０１０９】
（構成例４）
第１の実施の形態に係る電力供給装置に適用可能なパワー出力回路の模式的回路構成例４は、図２７に示すように表される。
【０１１０】
第１の実施の形態に係る電力供給装置に適用可能なパワー出力回路１３０の模式的回路構成例４は、図２７に示すように、ダイオード整流型ＤＣ／ＤＣコンバータ１３と、ＤＣ／ＤＣコンバータ１３の出力に接続され、２次側コントローラ１６によって導通状態を制御可能な複数のＭＯＳスイッチＭＳ11・ＭＳ12、ＭＳ21・ＭＳ22、ＭＳ31・ＭＳ32を備える。すなわち、複数のＭＯＳスイッチＭＳ11・ＭＳ12、ＭＳ21・ＭＳ22、ＭＳ31・ＭＳ32の出力からＶＢＵＳ出力ＶＢＵＳ１、ＶＢＵＳ２、ＶＢＵＳ出力ＶＢＵＳ３が得られる。
【０１１１】
第１の実施の形態に係る電力供給装置において、２次側コントローラ１６は、図２８（ａ）に示すように、制御入力信号に基づいて電圧電流判定を行うと共に、出力電圧Ｖoと出力電流Ｉoを制御する電圧電流制御回路１７を備えていても良い。また、この制御入力信号は、半二重通信方式に基づく信号を備えていても良い。例えば、周波数を１５０ｋＨｚ（３００ｋｂｐｓ）で一定にし、“１”、“０”のオン・オフのパルス幅を変調させても良い。
【０１１２】
また、第１の実施の形態に係る電力供給装置に適用される２次側コントローラ１６は、図２８（ｂ）に示すように、さらに周波数変換回路（ＦＳＫ）１６１および送信器１６４・受信器１６５を内蔵していても良い。ここで、周波数変換回路１６１・送信器１６４・受信器１６５により、例えば、約２３．２ＭＨｚから約５００ｋＨｚへの周波数変換を実現可能である。
【０１１３】
また、第１の実施の形態に係る電力供給装置において、２次側コントローラ１６の代わりに信号変換・切替回路２５が制御入力信号に基づいて電圧電流判定を行うと共に、出力電圧Ｖoと出力電流Ｉoを制御する電圧電流制御回路１７を備えていても良い。
【０１１４】
なお、第１の実施の形態に係る電力供給装置４においても、電力線出力（ＶＢＵＳ）に外部から重畳されて入力されるＡＣ信号を抽出するための出力キャパシタＣOを信号変換・切替回路２５と電力線出力（ＶＢＵＳ）間に接続しても良い。この場合には、分離用のインダクタンスＬＦは必要となる。すなわち、電力線出力（ＶＢＵＳ）から制御入力信号がＤＣ／ＤＣコンバータ１３に入力されるのを分離することが必要であるため、インダクタンスＬＦとキャパシタＣＦにより構成されるフィルタ回路が必要である。このように、第１の実施の形態に係る電力供給装置４においても、電力線出力（ＶＢＵＳ）・ＡＣ重畳モードを電力線出力（ＶＢＵＳ）・ＡＣ分離モードと併用しても良い。
【０１１５】
（変形例１）
第１の実施の形態の変形例１に係る電力供給装置４は、図２９に示すように、入力とＶＢＵＳ出力との間に配置されたＤＣ／ＤＣコンバータ１３と、ＤＣ／ＤＣコンバータ１３の入力電流を制御する１次側コントローラ３０と、制御入力に結合され、制御入力の制御入力信号の信号変換・切替を実施する信号変換・切替回路２５Ｓと、信号変換・切替回路２５Ｓに結合され、信号変換・切替回路２５Ｓにおいて信号変換・切替を実施された制御入力信号を受信し、１次側コントローラ３０にフィードバックする２次側コントローラ１６とを備える。ここで、１次側コントローラ３０は、２次側コントローラ１６からフィードバックされた制御入力信号に基づいて、入力電流を制御することによって、ＤＣ／ＤＣコンバータ１３の出力電圧値および出力可能電流量を可変にする。
【０１１６】
信号変換・切替回路２５Ｓは、図２９に示すように、ＶＢＵＳ出力と制御入力との間を切り替える切替スイッチ（ＳＷ０・ＳＷ１）を備える。これらのスイッチは、自動／手動いずれでも切り替え可能である。
【０１１７】
また、第１の実施の形態の変形例１に係る電力供給装置４において、切替スイッチ（ＳＷ０・ＳＷ１）は、２次側コントローラ１６によって制御されていても良い。
【０１１８】
ＤＣ／ＤＣコンバータ１３は、ダイオード整流型である。
【０１１９】
ＤＣ／ＤＣコンバータ１３は、トランス１５と、トランス１５の１次側インダクタンスＬ１と接地電位との間に直列接続された第１ＭＯＳトランジスタＱ１および電流センス用の抵抗ＲＳと、トランス１５の２次側インダクタンスＬ２と出力との間に接続されたダイオードＤ１と、出力と接地電位との間に接続された第１キャパシタＣ１とを備える。
【０１２０】
ＤＣ／ＤＣコンバータ１３は、同期整流型であっても良い。その他の構成は、第１の実施の形態と同様である。
【０１２１】
（変形例２）
第１の実施の形態の変形例２に係る電力供給装置４は、図３０に示すように、入力とＶＢＵＳ出力との間に配置されたＤＣ／ＤＣコンバータ１３と、ＤＣ／ＤＣコンバータ１３の入力電流を制御する１次側コントローラ３０と、複数の制御入力に結合され、複数の制御入力の制御入力信号の信号変換・切替を実施する信号変換・切替回路２５Ｓと、信号変換・切替回路２５Ｓに結合され、信号変換・切替回路２５Ｓにおいて信号変換・切替を実施された制御入力信号を受信し、１次側コントローラ３０にフィードバックする２次側コントローラ１６とを備える。ここで、１次側コントローラ３０は、２次側コントローラ１６からフィードバックされた制御入力信号に基づいて、入力電流を制御することによって、ＤＣ／ＤＣコンバータ１３の出力電圧値および出力可能電流量を可変にする。
【０１２２】
信号変換・切替回路２５Ｓは、図３０に示すように、ＶＢＵＳ出力と制御入力との間を切り替える複数のスイッチＳＷ０・ＳＷ１・ＳＷ２・…・ＳＷｎを備える。これらのスイッチＳＷ０・ＳＷ１・ＳＷ２・…・ＳＷｎは、自動／手動いずれでも切り替え可能である。
【０１２３】
また、第１の実施の形態の変形例２に係る電力供給装置４において、複数のスイッチＳＷ０・ＳＷ１・ＳＷ２・…・ＳＷｎは、２次側コントローラ１６によって制御されていても良い。
【０１２４】
また、信号変換・切替回路２５は、さらに、ＶＢＵＳ出力のＡＣ信号成分の信号変換・切替を実施可能である。ＶＢＵＳ出力のＡＣ信号成分は、ＶＢＵＳ出力と信号変換・切替回路２５との間に接続された出力キャパシタＣOを介して、信号変換・切替回路２５に結合される。
【０１２５】
また、第１の実施の形態の変形例２に係る電力供給装置４は、図２に示すように、１次側コントローラ３０に接続され、複数の制御入力と対に配置される複数のＶＢＵＳパワー出力に対して出力電圧を供給するパワー出力回路１３０を備えていても良い。
【０１２６】
第１の実施の形態の変形例２に係る電力供給装置４に適用可能なパワー出力回路１３０の模式的ブロック構成は、図３に示すように表わされる。第１の実施の形態の変形例２に係る電力供給装置４に適用可能なパワー出力回路１３０は、図３に示すように、複数のＤＣ／ＤＣコンバータ１３1・１３2・…・１３nを備えていても良い。
【０１２７】
信号変換・切替回路２５において切替えられた制御入力信号は、２次側コントローラ１６の通信ピンＣＯＭに入力される。
【０１２８】
また、図３０に示すように、複数の制御端子ＣＴ１・ＣＴ２・…・ＣＴｎを備え、複数の制御入力は、複数の制御端子ＣＴ１・ＣＴ２・…・ＣＴｎに結合されていても良い。また、複数の制御端子ＣＴ１・ＣＴ２・…・ＣＴｎを介して、外部機器には、第１の実施の形態の変形例２に係る電力供給装置４の制御出力信号が出力可能である。
【０１２９】
また、図３０に示すように、複数のＶＢＵＳパワー出力端子ＰＴ１・ＰＴ２・…・ＰＴｎを備え、パワー出力回路１３０は、複数のＶＢＵＳパワー出力端子ＰＴ１・ＰＴ２・…・ＰＴｎを介して出力電圧を供給可能である。その他の構成は、第１の実施の形態の変形例１と同様である。
【０１３０】
（変形例３）
第１の実施の形態の変形例３に係る電力供給装置４は，図３１に示すように、入力とＶＢＵＳ出力との間に配置されたＤＣ／ＤＣコンバータ１３と、ＤＣ／ＤＣコンバータ１３の入力電流を制御する１次側コントローラ３０と、制御入力に結合された結合キャパシタＣCと、ＶＢＵＳ出力と制御入力との間に結合された出力キャパシタＣOと、制御入力に結合キャパシタＣCを介して結合され、ＶＢＵＳ出力と制御入力の制御入力信号を受信し、１次側コントローラ３０にフィードバックする２次側コントローラ１６とを備える。ここで、１次側コントローラ３０は、２次側コントローラ１６からフィードバックされた制御入力信号に基づいて、ＤＣ／ＤＣコンバータ１３の入力電流を制御することによって、ＤＣ／ＤＣコンバータ１３の出力電圧値および出力可能電流量を可変にする。
【０１３１】
第１の実施の形態の変形例３に係る電力供給装置４は、図３１に示すように、制御端子ＣＴを備え、制御入力は、制御端子ＣＴに結合されていても良い。
【０１３２】
また、第１の実施の形態の変形例３に係る電力供給装置４においては、図３１に示すように、ＶＢＵＳ出力に重畳されたＡＣ信号成分は、出力キャパシタＣOおよび結合キャパシタＣCを介して、２次側コントローラ１６に入力可能である。同様に、また、ＶＢＵＳ出力を介して、外部機器には、第１の実施の形態の変形例３に係る電力供給装置４の制御出力信号が出力可能である。このように、第１の実施の形態の変形例３に係る電力供給装置４は、制御信号をＶＢＵＳ出力の電源ラインに重畳する系と、そのまま制御端子ＣＴから取り出す系とに分岐可能である。その他の構成は、第１の実施の形態の変形例１と同様である。
【０１３３】
（変形例４）
第１の実施の形態の変形例４に係る電力供給装置４は、図３２に示すように、エラーアンプ２１が内蔵された２次側コントローラ１６Ｅを備えていても良い。すなわち、２次側コントローラ１６Ｅ・エラーアンプ２１は、図３２に示すように、一体化形成されていても良い。この場合、信号変換・切替回路２５は、２次側コントローラ１６Ｅによって制御されていても良い。
【０１３４】
また、第１の実施の形態の変形例４に係る電力供給装置４において、信号変換・切替回路２５を省略し、図３１に示すような変形例３に係る電力供給装置４と同様の構成を採用しても良い。その他の構成は、第１の実施の形態と同様である。
【０１３５】
（変形例５）
また、第１の実施の形態の変形例５に係る電力供給装置４は、図３３に示すように、エラーアンプ２１および絶縁回路２０が内蔵された２次側コントローラ１６Ｉを備えていても良い。すなわち、２次側コントローラ１６Ｉ・エラーアンプ２１・絶縁回路２０は、図３３に示すように、一体化形成されていても良い。この場合、信号変換・切替回路２５は、２次側コントローラ１６Ｉによって制御されていても良い。
【０１３６】
また、第１の実施の形態の変形例５に係る電力供給装置４において、信号変換・切替回路２５を省略し、図３１に示すような変形例３に係る電力供給装置４と同様の構成を採用しても良い。その他の構成は、第１の実施の形態と同様である。
【０１３７】
（変形例６）
また、第１の実施の形態の変形例６に係る電力供給装置４は、図３４に示すように、エラーアンプ２１、絶縁回路２０および１次側コントローラ３０が内蔵された２次側コントローラ１６Ｐを備えていても良い。すなわち、２次側コントローラ１６Ｐ・エラーアンプ２１・絶縁回路２０・１次側コントローラ３０は、図３４に示すように、一体化形成されていても良い。この場合、信号変換・切替回路２５は、２次側コントローラ１６Ｐによって制御されていても良い。
【０１３８】
また、第１の実施の形態の変形例６に係る電力供給装置４において、信号変換・切替回路２５を省略し、図３１に示すような変形例３に係る電力供給装置４と同様の構成を採用しても良い。その他の構成は、第１の実施の形態と同様である。
【０１３９】
第１の実施の形態およびその変形例によれば、複数の機器に対して切替え可能で、かつ出力電圧値および出力可能電流量（ＭＡＸ値）を制御可能な電力供給装置を提供することができる。
【０１４０】
[第２の実施の形態]
第２の実施の形態に係る電力供給装置４は、図３５に示すように、入力とＶＢＵＳ出力との間に配置されたＤＣ／ＤＣコンバータ１３と、ＤＣ／ＤＣコンバータ１３の入力電流を制御する１次側コントローラ３０と、複数の制御入力に結合され、複数の制御入力の制御入力信号の信号変換・切替を実施する信号変換・切替回路２５と、ＶＢＵＳ出力と信号変換・切替回路２５との間に接続された出力キャパシタＣOと、信号変換・切替回路２５に結合され、信号変換・切替回路２５において信号変換・切替を実施された制御入力信号を受信し、１次側コントローラ３０にフィードバックする２次側コントローラ１６とを備える。ここで、１次側コントローラ３０は、２次側コントローラ１６からフィードバックされた制御入力信号に基づいて、入力電流を制御することによって、ＤＣ／ＤＣコンバータ１３の出力電圧値および出力可能電流量（ＭＡＸ値）を可変にする。
【０１４１】
また、信号変換・切替回路２５は、ＶＢＵＳ出力のＡＣ信号成分の信号変換・切替を実施可能である。ＶＢＵＳ出力のＡＣ信号成分は、ＶＢＵＳ出力と信号変換・切替回路２５との間に接続された出力キャパシタＣOを介して、信号変換・切替回路２５に結合される。
【０１４２】
また、第２の実施の形態に係る電力供給装置４は、図３５に示すように、１次側コントローラ３０に接続され、複数の制御入力と対に配置される複数のＶＢＵＳパワー出力に対して出力電圧を供給するパワー出力回路１３０を備えていても良い。
【０１４３】
信号変換・切替回路２５において切替えられた制御入力信号は、２次側コントローラ１６の通信ピンＣＯＭに入力される。
【０１４４】
また、第２の実施の形態に係る電力供給装置４は、図３５に示すように、複数の制御端子ＣＴ１・ＣＴ２・…・ＣＴｎを備え、複数の制御入力は、複数の制御端子ＣＴ１・ＣＴ２・…・ＣＴｎに結合されていても良い。また、複数の制御端子ＣＴ１・ＣＴ２・…・ＣＴｎを介して、外部機器には、第２の実施の形態に係る電力供給装置４の制御出力信号が出力可能である。
【０１４５】
また、第２の実施の形態に係る電力供給装置４は、図３５に示すように、複数のＶＢＵＳパワー出力端子ＰＴ１・ＰＴ２・…・ＰＴｎを備え、パワー出力回路１３０は、複数のＶＢＵＳパワー出力端子ＰＴ１・ＰＴ２・…・ＰＴｎを介して出力電圧を供給可能である。
【０１４６】
また、第２の実施の形態に係る電力供給装置４は、複数の制御入力に結合されるＡＣ結合キャパシタ（図示省略）を備え、信号変換・切替回路２５はＡＣ結合キャパシタを介して複数の制御入力に結合されていても良い。
【０１４７】
第２の実施の形態に係る電力供給装置４において、ＤＣ／ＤＣコンバータ１３は、ダイオード整流型である。すなわち、ＤＣ／ＤＣコンバータ１３は、トランス１５と、トランス１５の１次側インダクタンスＬ１と接地電位との間に直列接続された第１ＭＯＳトランジスタＱ１および電流センス用の抵抗ＲＳと、トランス１５の２次側インダクタンスＬ２と出力との間に接続されたダイオードＤ１と、出力と接地電位との間に接続された第１キャパシタＣ１とを備える。
【０１４８】
また、第２の実施の形態に係る電力供給装置４は、２次側コントローラ１６と信号変換・切替回路２５とを結合する結合キャパシタＣCを備えていても良い。また、２次側コントローラ１６・信号変換・切替回路２５間は、結合キャパシタＣCを介さず、直接接続されていても良い。
【０１４９】
また、第２の実施の形態に係る電力供給装置４において、信号変換・切替回路２５は、例えば、周波数変換、直流レベル変換、振幅レベル変換のいずれかを実行可能である。
【０１５０】
また、第２の実施の形態に係る電力供給装置４において、信号変換・切替回路２５は、２次側コントローラ１６によって制御されていても良い。
【０１５１】
また、第２の実施の形態に係る電力供給装置４は、図３５に示すように、ＤＣ／ＤＣコンバータ１３の出力に接続され、ＤＣ／ＤＣコンバータ１３の出力電圧を遮断するＭＯＳスイッチＱSWを備えていても良い。このＭＯＳスイッチＱSWにより、ＤＣ／ＤＣコンバータ１３の出力と電力線出力（ＶＢＵＳ）を遮断することができる。このＭＯＳスイッチＱSWは、２次側コントローラ１６によって、オン／オフ制御可能である。その他の構成は、第１の実施の形態と同様である。
【０１５２】
第２の実施の形態によれば、複数の機器に対して切替え可能で、かつ出力電圧値および出力可能電流量（ＭＡＸ値）を制御可能な電力供給装置を提供することができる。
【０１５３】
[第３の実施の形態]
第３の実施の形態に係る電力供給装置４は、図３６に示すように、入力とＶＢＵＳ出力との間に配置されたＤＣ／ＤＣコンバータ１３と、ＤＣ／ＤＣコンバータ１３の入力電流を制御する１次側コントローラ３０と、複数の制御入力に結合され、複数の制御入力の制御入力信号の信号変換・切替を実施する信号変換・切替回路２５と、ＶＢＵＳ出力と信号変換・切替回路２５との間に接続された出力キャパシタＣOと、信号変換・切替回路２５に結合され、信号変換・切替回路２５において信号変換・切替を実施された制御入力信号を受信し、１次側コントローラ３０にフィードバックする２次側コントローラ１６とを備える。ここで、１次側コントローラ３０は、２次側コントローラ１６からフィードバックされた制御入力信号に基づいて、入力電流を制御することによって、ＤＣ／ＤＣコンバータ１３の出力電圧値および出力可能電流量（ＭＡＸ値）を可変にする。
【０１５４】
また、信号変換・切替回路２５は、ＶＢＵＳ出力のＡＣ信号成分の信号変換・切替を実施可能である。ＶＢＵＳ出力のＡＣ信号成分は、ＶＢＵＳ出力と信号変換・切替回路２５との間に接続された出力キャパシタＣOを介して、信号変換・切替回路２５に結合される。
【０１５５】
また、第３の実施の形態に係る電力供給装置４は、図３６に示すように、１次側コントローラ３０に接続され、複数の制御入力と対に配置される複数のＶＢＵＳパワー出力に対して出力電圧を供給するパワー出力回路１３０を備えていても良い。
【０１５６】
信号変換・切替回路２５において切替えられた制御入力信号は、２次側コントローラ１６の通信ピンＣＯＭに入力される。
【０１５７】
また、第３の実施の形態に係る電力供給装置４は、図３６に示すように、複数の制御端子ＣＴ１・ＣＴ２・…・ＣＴｎを備え、複数の制御入力は、複数の制御端子ＣＴ１・ＣＴ２・…・ＣＴｎに結合されていても良い。また、複数の制御端子ＣＴ１・ＣＴ２・…・ＣＴｎを介して、外部機器には、第３の実施の形態に係る電力供給装置４の制御出力信号が出力可能である。
【０１５８】
また、第３の実施の形態に係る電力供給装置４は、図３６に示すように、複数のＶＢＵＳパワー出力端子ＰＴ１・ＰＴ２・…・ＰＴｎを備え、パワー出力回路１３０は、複数のＶＢＵＳパワー出力端子ＰＴ１・ＰＴ２・…・ＰＴｎを介して出力電圧を供給可能である。
【０１５９】
また、第３の実施の形態に係る電力供給装置４は、複数の制御入力に結合されるＡＣ結合キャパシタ（図示省略）を備え、信号変換・切替回路２５はＡＣ結合キャパシタを介して複数の制御入力に結合されていても良い。
【０１６０】
第３の実施の形態に係る電力供給装置４において、ＤＣ／ＤＣコンバータ１３は、同期整流型である。すなわち、ＤＣ／ＤＣコンバータ１３は、トランス１５と、トランス１５の１次側インダクタンスＬ１と接地電位との間に直列接続された第１ＭＯＳトランジスタＱ１および電流センス用の抵抗ＲＳと、トランス１５の２次側インダクタンスＬ２と出力との間に接続された第２ＭＯＳトランジスタＭ１と、出力と接地電位との間に接続された第１キャパシタＣ１とを備える。
【０１６１】
また、第３の実施の形態に係る電力供給装置４において、信号変換・切替回路２５は、例えば、周波数変換、直流レベル変換、振幅レベル変換のいずれかを実行可能である。
【０１６２】
また、第３の実施の形態に係る電力供給装置４において、信号変換・切替回路２５は、２次側コントローラ１６によって制御されていても良い。
【０１６３】
第３の実施の形態に係る電力供給装置４は、ＤＣ／ＤＣコンバータにダイオード整流方式に代えて同期整流方式を採用しているため、ダイオード整流方式を有する第２の実施の形態に比べて、ＤＣ／ＤＣ電力変換効率を増大することができる。その他の構成は、第１の実施の形態と同様である。
【０１６４】
第３の実施の形態によれば、複数の機器に対して切替え可能で、かつ出力電圧値および出力可能電流量（ＭＡＸ値）を制御可能な電力供給装置を提供することができる。
【０１６５】
[第４の実施の形態]
第４の実施の形態に係る電力供給装置４は、図３７に示すように、第１の実施の形態における電源供給回路１０の代わりに、ＡＣ入力に接続され、ヒューズ１１・チョークコイル１２・ダイオード整流ブリッジ１４・キャパシタＣ５・Ｃ６・Ｃ３などから構成されるＡＣ／ＤＣコンバータを備える。
【０１６６】
また、トランス１５の１次側の補助巻き線により構成された補助インダクタンスＬ４と、補助インダクタンスＬ４に並列接続されたダイオードＤ２・キャパシタＣ４とを備え、キャパシタＣ４から１次側コントローラ３０に直流電圧ＶＣＣが供給される。
【０１６７】
第４の実施の形態に係る電力供給装置４は、図３７に示すように、入力（ＡＣ／ＤＣコンバータのＤＣ出力）とＶＢＵＳ出力との間に配置されたＤＣ／ＤＣコンバータ１３と、ＤＣ／ＤＣコンバータ１３の入力電流を制御する１次側コントローラ３０と、複数の制御入力に結合され、複数の制御入力の制御入力信号の信号変換・切替を実施する信号変換・切替回路２５と、ＶＢＵＳ出力と信号変換・切替回路２５との間に接続された出力キャパシタＣOと、信号変換・切替回路２５に結合され、信号変換・切替回路２５において信号変換・切替を実施された制御入力信号を受信し、１次側コントローラ３０にフィードバックする２次側コントローラ１６とを備える。ここで、１次側コントローラ３０は、２次側コントローラ１６からフィードバックされた制御入力信号に基づいて、入力電流を制御することによって、ＤＣ／ＤＣコンバータ１３の出力電圧値および出力可能電流量（ＭＡＸ値）を可変にする。
【０１６８】
信号変換・切替回路２５において切替えられた制御入力信号は、２次側コントローラ１６の通信ピンＣＯＭに入力される。
【０１６９】
また、第４の実施の形態に係る電力供給装置４は、図３７に示すように、１次側コントローラ３０に接続され、複数の制御入力と対に配置される複数のＶＢＵＳ出力に対して出力電圧を供給するパワー出力回路１３０を備えていても良い。ここで、パワー出力回路１３０は、図３と同様に、複数のＤＣ／ＤＣコンバータを備えていても良い。
【０１７０】
また、図３７に示すように、複数の制御端子ＣＴ１・ＣＴ２・…・ＣＴｎを備え、複数の制御入力は、複数の制御端子ＣＴ１・ＣＴ２・…・ＣＴｎに結合されていても良い。また、複数の制御端子ＣＴ１・ＣＴ２・…・ＣＴｎを介して、外部機器には、第４の実施の形態に係る電力供給装置４の制御出力信号が出力可能である。
【０１７１】
２次側コントローラ１６には、ＵＳＢリセプタクルからのＰＤＤＥＴ１・ＰＤＤＥＴ２が記載されているが、これらはなくても良い。
【０１７２】
第４の実施の形態に係る電力供給装置４において、ＤＣ／ＤＣコンバータ１３は、ダイオード整流型である。すなわち、ＤＣ／ＤＣコンバータ１３は、トランス１５と、トランス１５の１次側インダクタンスＬ１と接地電位との間に直列接続された第１ＭＯＳトランジスタＱ１および電流センス用の抵抗ＲＳと、トランス１５の２次側インダクタンスＬ２と出力との間に接続されたダイオードＤ１と、出力と接地電位との間に接続された第１キャパシタＣ１とを備える。
【０１７３】
また、第４の実施の形態に係る電力供給装置４は、２次側コントローラ１６と信号変換・切替回路２５とを結合する結合キャパシタＣCを備えていても良い。また、２次側コントローラ１６・信号変換・切替回路２５間は、結合キャパシタＣCを介さず、直接接続されていても良い。
【０１７４】
また、第４の実施の形態に係る電力供給装置４において、信号変換・切替回路２５は、例えば、周波数変換、直流レベル変換、振幅レベル変換のいずれかを実行可能である。
【０１７５】
また、第４の実施の形態に係る電力供給装置４において、信号変換・切替回路２５は、２次側コントローラ１６によって制御されていても良い。
【０１７６】
第４の実施の形態によれば、複数の機器に対して切替え可能で、かつ出力電圧値および出力可能電流量（ＭＡＸ値）を制御可能な電力供給装置を提供することができる。
【０１７７】
[第５の実施の形態]
第５の実施の形態に係る電力供給装置４は、図３８に示すように、第１の実施の形態における電源供給回路１０の代わりに、ＡＣ入力に接続され、ヒューズ１１・チョークコイル１２・ダイオード整流ブリッジ１４・キャパシタＣ５・Ｃ６・Ｃ３などから構成されるＡＣ／ＤＣコンバータを備える。
【０１７８】
また、トランス１５の１次側の補助巻き線により構成された補助インダクタンスＬ４と、補助インダクタンスＬ４に並列接続されたダイオードＤ２・キャパシタＣ４とを備え、キャパシタＣ４から１次側コントローラ３０に直流電圧ＶＣＣが供給される。
【０１７９】
第５の実施の形態に係る電力供給装置４は、図３８に示すように、入力（ＡＣ／ＤＣコンバータのＤＣ出力）とＶＢＵＳ出力との間に配置されたＤＣ／ＤＣコンバータ１３と、ＤＣ／ＤＣコンバータ１３の入力電流を制御する１次側コントローラ３０と、複数の制御入力に結合され、複数の制御入力の制御入力信号の信号変換・切替を実施する信号変換・切替回路２５と、ＶＢＵＳ出力と信号変換・切替回路２５との間に接続された出力キャパシタＣOと、信号変換・切替回路２５に結合され、信号変換・切替回路２５において信号変換・切替を実施された制御入力信号を受信し、１次側コントローラ３０にフィードバックする２次側コントローラ１６とを備える。ここで、１次側コントローラ３０は、２次側コントローラ１６からフィードバックされた制御入力信号に基づいて、入力電流を制御することによって、ＤＣ／ＤＣコンバータ１３の出力電圧値および出力可能電流量（ＭＡＸ値）を可変にする。
【０１８０】
信号変換・切替回路２５において切替えられた制御入力信号は、２次側コントローラ１６の通信ピンＣＯＭに入力される。
【０１８１】
また、第５の実施の形態に係る電力供給装置４は、図３８に示すように、１次側コントローラ３０に接続され、複数の制御入力と対に配置される複数のＶＢＵＳ出力に対して出力電圧を供給するパワー出力回路１３０を備えていても良い。ここで、パワー出力回路１３０は、図３と同様に、複数のＤＣ／ＤＣコンバータを備えていても良い。
【０１８２】
また、図３８に示すように、複数の制御端子ＣＴ１・ＣＴ２・…・ＣＴｎを備え、複数の制御入力は、複数の制御端子ＣＴ１・ＣＴ２・…・ＣＴｎに結合されていても良い。また、複数の制御端子ＣＴ１・ＣＴ２・…・ＣＴｎを介して、外部機器には、第５の実施の形態に係る電力供給装置４の制御出力信号が出力可能である。
【０１８３】
２次側コントローラ１６には、ＵＳＢリセプタクルからのＰＤＤＥＴ１・ＰＤＤＥＴ２が記載されているが、これらはなくても良い。
【０１８４】
第５の実施の形態に係る電力供給装置４において、ＤＣ／ＤＣコンバータ１３は、ダイオード整流型である。すなわち、ＤＣ／ＤＣコンバータ１３は、トランス１５と、トランス１５の１次側インダクタンスＬ１と接地電位との間に直列接続された第１ＭＯＳトランジスタＱ１および電流センス用の抵抗ＲＳと、トランス１５の２次側インダクタンスＬ２と出力との間に接続されたダイオードＤ１と、出力と接地電位との間に接続された第１キャパシタＣ１とを備える。
【０１８５】
また、第５の実施の形態に係る電力供給装置４は、図３８に示すように、２次側コントローラ１６に接続され、制御入力信号を１次側コントローラ３０にフィードバックする絶縁回路２０を備えていても良い。
【０１８６】
また、第５の実施の形態に係る電力供給装置４は、図３８に示すように、２次側コントローラ１６に接続され、制御入力信号を絶縁回路２０にフィードバックする誤差補償用のエラーアンプ２１を備えていても良い。ここで、エラーアンプ２１は、図３８に示すように、増幅器４４・ダイオードＤ３・抵抗Ｒ５・Ｒ６などの個別部品にて構成されている。
【０１８７】
また、第５の実施の形態に係る電力供給装置４は、２次側コントローラ１６と信号変換・切替回路２５とを結合する結合キャパシタＣCを備えていても良い。また、２次側コントローラ１６・信号変換・切替回路２５間は、結合キャパシタＣCを介さず、直接接続されていても良い。
【０１８８】
また、第５の実施の形態に係る電力供給装置４において、信号変換・切替回路２５は、例えば、周波数変換、直流レベル変換、振幅レベル変換のいずれかを実行可能である。
【０１８９】
また、第５の実施の形態に係る電力供給装置４において、信号変換・切替回路２５は、２次側コントローラ１６によって制御されていても良い。
【０１９０】
また、第５の実施の形態に係る電力供給装置４は、図３８に示すように、ＤＣ／ＤＣコンバータ１３の出力に接続され、ＤＣ／ＤＣコンバータ１３の出力電圧を遮断するＭＯＳスイッチＱSWを備えていても良い。このＭＯＳスイッチＱSWにより、ＤＣ／ＤＣコンバータ１３の出力と電力線出力（ＶＢＵＳ）を遮断することができる。このＭＯＳスイッチＱSWは、２次側コントローラ１６によって、オン／オフ制御可能である。その他の構成は、第２の実施の形態と同様である。
【０１９１】
第５の実施の形態によれば、複数の機器に対して切替え可能で、かつ出力電圧値および出力可能電流量（ＭＡＸ値）を制御可能な電力供給装置を提供することができる。
【０１９２】
[第６の実施の形態]
第６の実施の形態に係る電力供給装置４は、図３９に示すように、第３の実施の形態における電源供給回路１０の代わりに、ＡＣ入力に接続され、ヒューズ１１・チョークコイル１２・ダイオード整流ブリッジ１４・キャパシタＣ５・Ｃ６・Ｃ３などから構成されるＡＣ／ＤＣコンバータを備える。
【０１９３】
また、トランス１５の１次側の補助巻き線により構成された補助インダクタンスＬ４と、補助インダクタンスＬ４に並列接続されたダイオードＤ２・キャパシタＣ４とを備え、キャパシタＣ４から１次側コントローラ３０に直流電圧ＶＣＣが供給される。
【０１９４】
第６の実施の形態に係る電力供給装置４は、図３９に示すように、入力（ＡＣ／ＤＣコンバータのＤＣ出力）とＶＢＵＳ出力との間に配置されたＤＣ／ＤＣコンバータ１３と、ＤＣ／ＤＣコンバータ１３の入力電流を制御する１次側コントローラ３０と、複数の制御入力に結合され、複数の制御入力の制御入力信号の信号変換・切替を実施する信号変換・切替回路２５と、ＶＢＵＳ出力と信号変換・切替回路２５との間に接続された出力キャパシタＣOと、信号変換・切替回路２５に結合され、信号変換・切替回路２５において信号変換・切替を実施された制御入力信号を受信し、１次側コントローラ３０にフィードバックする２次側コントローラ１６とを備える。ここで、１次側コントローラ３０は、２次側コントローラ１６からフィードバックされた制御入力信号に基づいて、入力電流を制御することによって、ＤＣ／ＤＣコンバータ１３の出力電圧値および出力可能電流量（ＭＡＸ値）を可変にする。
【０１９５】
信号変換・切替回路２５において切替えられた制御入力信号は、２次側コントローラ１６の通信ピンＣＯＭに入力される。
【０１９６】
また、第６の実施の形態に係る電力供給装置４は、図３９に示すように、１次側コントローラ３０に接続され、複数の制御入力と対に配置される複数のＶＢＵＳ出力に対して出力電圧を供給するパワー出力回路１３０を備えていても良い。ここで、パワー出力回路１３０は、図３と同様に、複数のＤＣ／ＤＣコンバータを備えていても良い。
【０１９７】
また、図３９に示すように、複数の制御端子ＣＴ１・ＣＴ２・…・ＣＴｎを備え、複数の制御入力は、複数の制御端子ＣＴ１・ＣＴ２・…・ＣＴｎに結合されていても良い。また、複数の制制御端子ＣＴ１・ＣＴ２・…・ＣＴｎを介して、外部機器には、第６の実施の形態に係る電力供給装置４の制御出力信号が出力可能である。
【０１９８】
２次側コントローラ１６には、ＵＳＢリセプタクルからのＰＤＤＥＴ１・ＰＤＤＥＴ２が記載されているが、これらはなくても良い。
【０１９９】
第６の実施の形態に係る電力供給装置４において、ＤＣ／ＤＣコンバータ１３は、同期整流型である。すなわち、ＤＣ／ＤＣコンバータ１３は、トランス１５と、トランス１５の１次側インダクタンスＬ１と接地電位との間に直列接続された第１ＭＯＳトランジスタＱ１および電流センス用の抵抗ＲＳと、トランス１５の２次側インダクタンスＬ２と出力との間に接続された第２ＭＯＳトランジスタＭ１と、出力と接地電位との間に接続された第１キャパシタＣ１とを備える。
【０２００】
また、第６の実施の形態に係る電力供給装置４は、２次側コントローラ１６と信号変換・切替回路２５とを結合する結合キャパシタＣCを備えていても良い。また、２次側コントローラ１６・信号変換・切替回路２５間は、結合キャパシタＣCを介さず、直接接続されていても良い。
【０２０１】
また、第６の実施の形態に係る電力供給装置４において、信号変換・切替回路２５は、例えば、周波数変換、直流レベル変換、振幅レベル変換のいずれかを実行可能である。
【０２０２】
また、第６の実施の形態に係る電力供給装置４において、信号変換・切替回路２５は、２次側コントローラ１６によって制御されていても良い。
【０２０３】
第６の実施の形態に係る電力供給装置４は、ＤＣ／ＤＣコンバータにダイオード整流方式に代えて同期整流方式を採用しているため、ダイオード整流方式を有する第２・第４・第５の実施の形態に比べて、ＤＣ／ＤＣ電力変換効率を増大することができる。その他の構成は、第３の実施の形態と同様である。
【０２０４】
第６の実施の形態によれば、複数の機器に対して切替え可能で、かつ出力電圧値および出力可能電流量（ＭＡＸ値）を制御可能な電力供給装置を提供することができる。
【０２０５】
[第７の実施の形態]
第７の実施の形態に係る電力供給装置４は、図４０に示すように、第３の実施の形態における電源供給回路１０の代わりに、ＡＣ入力に接続され、ヒューズ１１・チョークコイル１２・ダイオード整流ブリッジ１４・キャパシタＣ５・Ｃ６・Ｃ３などから構成されるＡＣ／ＤＣコンバータを備える点は、第６の実施の形態と同様である。
【０２０６】
また、トランス１５の１次側の補助巻き線により構成された補助インダクタンスＬ４と、補助インダクタンスＬ４に並列接続されたダイオードＤ２・キャパシタＣ４とを備え、キャパシタＣ４から１次側コントローラ３０に直流電圧ＶＣＣが供給される。
【０２０７】
第７の実施の形態に係る電力供給装置４は、図４０に示すように、入力（ＡＣ／ＤＣコンバータのＤＣ出力）とＶＢＵＳ出力との間に配置されたＤＣ／ＤＣコンバータ１３と、ＤＣ／ＤＣコンバータ１３の入力電流を制御する１次側コントローラ３０と、複数の制御入力に結合され、複数の制御入力の制御入力信号の信号変換・切替を実施する信号変換・切替回路２５と、ＶＢＵＳ出力と信号変換・切替回路２５との間に接続された出力キャパシタＣOと、信号変換・切替回路２５に結合され、信号変換・切替回路２５において信号変換・切替を実施された制御入力信号を受信し、１次側コントローラ３０にフィードバックする２次側コントローラ１６とを備える。ここで、１次側コントローラ３０は、２次側コントローラ１６からフィードバックされた制御入力信号に基づいて、入力電流を制御することによって、ＤＣ／ＤＣコンバータ１３の出力電圧値および出力可能電流量（ＭＡＸ値）を可変にする。
【０２０８】
信号変換・切替回路２５において切替えられた制御入力信号は、２次側コントローラ１６の通信ピンＣＯＭに入力される。
【０２０９】
また、第７の実施の形態に係る電力供給装置４は、図４０に示すように、１次側コントローラ３０に接続され、複数の制御入力と対に配置される複数のＶＢＵＳ出力に対して出力電圧を供給するパワー出力回路１３０を備えていても良い。ここで、パワー出力回路１３０は、図３と同様に、複数のＤＣ／ＤＣコンバータを備えていても良い。
【０２１０】
また、図４０に示すように、複数の制御端子ＣＴ１・ＣＴ２・…・ＣＴｎを備え、複数の制御入力は、複数の制御端子ＣＴ１・ＣＴ２・…・ＣＴｎに結合されていても良い。また、複数の制御端子ＣＴ１・ＣＴ２・…・ＣＴｎを介して、外部機器には、第７の実施の形態に係る電力供給装置４の制御出力信号が出力可能である。
【０２１１】
２次側コントローラ１６には、ＰＤＤＥＴ１・ＰＤＤＥＴ２が記載されているが、これらはなくても良い。
【０２１２】
第７の実施の形態に係る電力供給装置４において、ＤＣ／ＤＣコンバータ１３は、同期整流型である。すなわち、ＤＣ／ＤＣコンバータ１３は、トランス１５と、トランス１５の１次側インダクタンスＬ１と接地電位との間に直列接続された第１ＭＯＳトランジスタＱ１および電流センス用の抵抗ＲＳと、トランス１５の２次側インダクタンスＬ２と出力との間に接続された第２ＭＯＳトランジスタＭ１と、出力と接地電位との間に接続された第１キャパシタＣ１とを備える。
【０２１３】
また、第７の実施の形態に係る電力供給装置４は、図４０に示すように、２次側コントローラ１６に接続され、制御入力信号を１次側コントローラ３０にフィードバックする絶縁回路２０を備えていても良い。
【０２１４】
また、第７の実施の形態に係る電力供給装置４は、図４０に示すように、２次側コントローラ１６に接続され、制御入力信号を絶縁回路２０にフィードバックする誤差補償用のエラーアンプ２１を備えていても良い。ここで、エラーアンプ２１は、図４０に示すように、増幅器４４・ダイオードＤ３・抵抗Ｒ５・Ｒ６などの個別部品にて構成されている。
【０２１５】
また、第７の実施の形態に係る電力供給装置４は、２次側コントローラ１６と信号変換・切替回路２５とを結合する結合キャパシタＣCを備えていても良い。また、２次側コントローラ１６・信号変換・切替回路２５間は、結合キャパシタＣCを介さず、直接接続されていても良い。
【０２１６】
また、第７の実施の形態に係る電力供給装置４において、信号変換・切替回路２５は、例えば、周波数変換、直流レベル変換、振幅レベル変換のいずれかを実行可能である。
【０２１７】
また、第７の実施の形態に係る電力供給装置４において、信号変換・切替回路２５は、２次側コントローラ１６によって制御されていても良い。
【０２１８】
第７の実施の形態に係る電力供給装置４は、ＤＣ／ＤＣコンバータにダイオード整流方式に代えて同期整流方式を採用しているため、ダイオード整流方式を有する第２・第４・第５の実施の形態に比べて、ＤＣ／ＤＣ電力変換効率を増大することができる。
【０２１９】
また、第７の実施の形態に係る電力供給装置４は、図４０に示すように、ＤＣ／ＤＣコンバータ１３の出力に接続され、ＤＣ／ＤＣコンバータ１３の出力電圧を遮断するＭＯＳスイッチＱSWを備えていても良い。このＭＯＳスイッチＱSWにより、ＤＣ／ＤＣコンバータ１３の出力と電力線出力（ＶＢＵＳ）を遮断することができる。このＭＯＳスイッチＱSWは、２次側コントローラ１６によって、オン／オフ制御可能である。その他の構成は、第６の実施の形態と同様である。
【０２２０】
第７の実施の形態によれば、複数の機器に対して切替え可能で、かつ出力電圧値および出力可能電流量（ＭＡＸ値）を制御可能な電力供給装置を提供することができる。
【０２２１】
[第８の実施の形態]
第８の実施の形態に係る電力供給装置４は、図４１（ａ）に示すように、入力とＶＢＵＳ出力との間に配置されたＤＣ／ＤＣコンバータ１３と、ＤＣ／ＤＣコンバータ１３の入力電流を制御する１次側コントローラ３０と、複数の制御入力に結合され、複数の制御入力の制御入力信号の信号変換・切替を実施する信号変換・切替回路２５と、ＶＢＵＳ出力と信号変換・切替回路２５との間に接続された出力キャパシタＣOと、信号変換・切替回路２５に結合され、信号変換・切替回路２５において信号変換・切替を実施された制御入力信号を受信し、１次側コントローラ３０にフィードバックする絶縁回路２０Ｍとを備える。ここで、１次側コントローラ３０は、絶縁回路２０Ｍからフィードバックされた制御入力信号に基づいて、入力電流を制御することによって、ＤＣ／ＤＣコンバータ１３の出力電圧値および出力可能電流量（ＭＡＸ値）を可変にする。
【０２２２】
ここで、信号変換・切替回路２５において切替えられた制御入力信号は、絶縁回路２０Ｍの通信ピンＣＯＭに入力される。
【０２２３】
制御入力は、信号変換・切替回路２５に直接接続されていても良い。
【０２２４】
また、信号変換・切替回路２５は、絶縁回路２０Ｍにより制御可能である。
【０２２５】
また、第８の実施の形態に係る電力供給装置４は、図４１（ａ）に示すように、１次側コントローラ３０に接続され、複数の制御入力と対に配置される複数のＶＢＵＳ出力に対して出力電圧を供給するパワー出力回路１３０を備えていても良い。ここで、パワー出力回路１３０は、図３と同様に、複数のＤＣ／ＤＣコンバータを備えていても良い。
【０２２６】
また、図４１（ａ）に示すように、複数の制御端子ＣＴ１・ＣＴ２・…・ＣＴｎを備え、複数の制御入力は、複数の制御端子ＣＴ１・ＣＴ２・…・ＣＴｎに結合されていても良い。また、複数の制御端子ＣＴ１・ＣＴ２・…・ＣＴｎを介して、外部機器には、第８の実施の形態に係る電力供給装置４の制御出力信号が出力可能である。
【０２２７】
また、第８の実施の形態に係る電力供給装置４においては、図４１（ａ）に示すように、２次側コントローラおよびエラーアンプが除外されている。
【０２２８】
また、第８の実施の形態に係る電力供給装置４は、絶縁回路２０Ｍと信号変換・切替回路２５とを結合する結合キャパシタＣCを備えていても良い。また、絶縁回路２０Ｍ・信号変換・切替回路２５間は、結合キャパシタＣCを介さず、直接接続されていても良い。絶縁回路２０Ｍには、キャパシタ、フォトカプラ、トランスなどを適用可能である。また、用途に応じて、絶縁ドライバ付き双方向トランス、双方向素子などを適用しても良い。
【０２２９】
また、第８の実施の形態に係る電力供給装置４において、信号変換・切替回路２５は、例えば、周波数変換、直流レベル変換、振幅レベル変換のいずれかを実行可能である。
【０２３０】
また、第８の実施の形態に係る電力供給装置４において、信号変換・切替回路２５は、絶縁回路２０若しくは１次側コントローラ３０によって制御されていても良い。その他の構成は、第１の実施の形態と同様である。
【０２３１】
（変形例）
第８の実施の形態の変形例に係る電力供給装置４は、図４１（ｂ）に示すように、入力とＶＢＵＳ出力との間に配置されたＤＣ／ＤＣコンバータ１３と、ＤＣ／ＤＣコンバータ１３の入力電流を制御する１次側コントローラ３０と、複数の制御入力に結合され、複数の制御入力の制御入力信号の信号変換・切替を実施する信号変換・切替回路２５と、ＶＢＵＳ出力と信号変換・切替回路２５との間に接続された出力キャパシタＣOと、信号変換・切替回路２５に結合され、信号変換・切替回路２５において信号変換・切替を実施された制御入力信号を受信し、１次側コントローラ３０にフィードバックする絶縁回路２０Ｍとを備える。ここで、１次側コントローラ３０は、絶縁回路２０Ｍからフィードバックされた制御入力信号に基づいて、入力電流を制御することによって、ＤＣ／ＤＣコンバータ１３の出力電圧値および出力可能電流量（ＭＡＸ値）を可変にする。
【０２３２】
ここで、信号変換・切替回路２５において切替えられた制御入力信号は、絶縁回路２０Ｃの通信ピンＣＯＭに入力される。
【０２３３】
また、図４１（ｂ）に示すように、複数の制御端子ＣＴ１・ＣＴ２・…・ＣＴｎを備え、複数の制御入力は、複数の制御端子ＣＴ１・ＣＴ２・…・ＣＴｎに結合されていても良い。また、複数の制御端子ＣＴ１・ＣＴ２・…・ＣＴｎを介して、外部機器には、第８の実施の形態の変形例に係る電力供給装置４の制御出力信号が出力可能である。
【０２３４】
また、第８の実施の形態の変形例に係る電力供給装置４においては、図４１（ｂ）に示すように、２次側コントローラおよびエラーアンプが除外されている。
【０２３５】
また、第８の実施の形態の変形例に係る電力供給装置４においては、図４１（ｂ）に示すように、絶縁回路２０Ｃと信号変換・切替回路２５とを結合する結合キャパシタＣCが、絶縁回路２０Ｃに内蔵されている。その他の構成は、第８の実施の形態と同様である。
【０２３６】
第８の実施の形態およびその変形例によれば、複数の機器に対して切替え可能で、かつ出力電圧値および出力可能電流量（ＭＡＸ値）を制御可能な電力供給装置を提供することができる。
【０２３７】
（ＭＯＳスイッチ）
第１・第８の実施の形態に係る電力供給装置４に適用可能なスイッチＳＷ、若しくは第２・３・５・７の実施の形態に係る電力供給装置４に適用可能なＭＯＳスイッチＱSWの模式的回路ブロック構成例は、図４２に示すように、２個の直列接続されたｎチャネルＭＯＳＦＥＴＱn1・Ｑn2と、この直列接続されたｎチャネルＭＯＳＦＥＴＱn1・Ｑn2の両端に接続された放電用ＭＯＳＦＥＴＱD1・ＱD2とを備える。
【０２３８】
第１〜第７の実施の形態に係る電力供給装置４において、２個の直列接続されたｎチャネルＭＯＳＦＥＴＱn1・Ｑn2のゲートは２次側コントローラ１６に接続され、２次側コントローラ１６によって、オン／オフ制御される。２次側コントローラ１６には、電圧電流制御回路１７が内蔵されており、制御入力信号は、２次側コントローラ１６の通信ピンＣＯＭに入力される。また、第８の実施の形態に係る電力供給装置４において、２個の直列接続されたｎチャネルＭＯＳＦＥＴＱn1・Ｑn2のゲートは、絶縁回路２０Ｍ・２０Ｃ若しくは１次側コントローラ３０によって、制御可能である。
【０２３９】
（ＡＣアダプタ／ＡＣチャージャ）
第１〜第８の実施の形態に係る電力供給装置４は、図４３〜図４８に示すように、ＡＣアダプタ／ＡＣチャージャ３に内蔵可能である。
【０２４０】
コンセント１に接続可能なプラグ２とＡＣアダプタ／ＡＣチャージャ３をケーブルを用いて接続する結線例であって、ＡＣアダプタ／ＡＣチャージャ３内の信号変換・切替回路２５を外部のプラグ２Ａ・２Ｂと接続する例は、図４３（ａ）に示すように表され、別の例は、図４３（ｂ）に示すように表される。
【０２４１】
図４３（ａ）において、信号変換・切替回路２５により、ＵＳＢＰＤ４Ｕ・実施の形態に係る電力供給装置（ＰＤ）４の制御入力信号の切り替えを実施可能である。信号変換・切替回路２５は、電力供給装置（ＰＤ）４に内蔵可能である。
【０２４２】
図４３（ａ）においては、信号変換・切替回路２５・プラグ２Ａ間は電力ラインＰＯＬによって接続され、信号変換・切替回路２５・プラグ２Ｂ間は電力ラインＰＯＬ・通信専用ラインＣＯＬが接続される。
【０２４３】
ＵＳＢＰＤ４Ｕ・電力供給装置（ＰＤ）４は、図４３（ａ）に示すように、信号変換・切替回路２５とそれぞれ双方向に接続可能である。
図４３（ｂ）においては、複数の信号変換・切替回路２５1・２５2により、ＵＳＢＰＤ４Ｕ・実施の形態に係る電力供給装置（ＰＤ）４の制御入力信号の切り替えを実施可能である。信号変換・切替回路２５1・２５2は、ＵＳＢＰＤ４Ｕ・電力供給装置（ＰＤ）４に内蔵可能である。
【０２４４】
図４３（ｂ）においては、信号変換・切替回路２５1・プラグ２Ａ間は電力ラインＰＯＬによって接続され、信号変換・切替回路２５2・プラグ２Ｂ間は電力ラインＰＯＬ・通信専用ラインＣＯＬが接続される。
【０２４５】
ＵＳＢＰＤ４Ｕ・電力供給装置（ＰＤ）４は、図４３（ｂ）に示すように、信号変換・切替回路２５1・２５2とそれぞれ双方向に接続可能である。
【０２４６】
信号変換・切替回路２５は、ＡＣアダプタ／ＡＣチャージャ３に１個若しくは複数内蔵可能である。このような信号変換・切替回路動作によって、ＵＳＢＰＤ４Ｕと電力供給装置（ＰＤ）４を同時に備えるＡＣアダプタ／ＡＣチャージャ３においては、出力の取り出し個数を様々に選択可能である。例えば、ＵＳＢＰＤ４Ｕと電力供給装置（ＰＤ）４の取り出し個数比を１：Ｎ、１：１、Ｎ：１としても良い。ここで、Ｎは２以上の整数である。
【０２４７】
コンセント１に接続可能なプラグ２をＡＣアダプタ／ＡＣチャージャ３に内蔵する例であって、ＡＣアダプタ／ＡＣチャージャ３内にＵＳＢＰＤ４Ｕと実施の形態に係る電力供給装置（ＰＤ）４を備える例は、図４４（ａ）に示すように表され、ＡＣアダプタ／ＡＣチャージャ３に内蔵されたリセプタクル４１ＵＲ・４１Ｒと外部のプラグ２Ａ・２Ｂを接続する例は、図４４（ｂ）に示すように表される。
【０２４８】
図４４（ａ）において、信号変換・切替回路２５1・２５2により、ＵＳＢＰＤ４Ｕ・電力供給装置（ＰＤ）４の制御入力信号の切り替えを実施可能である。信号変換・切替回路２５1・２５2は、ＵＳＢＰＤ４Ｕ・電力供給装置（ＰＤ）４に内蔵可能である。
【０２４９】
ＵＳＢＰＤ４Ｕ・電力供給装置（ＰＤ）４は、図４４（ａ）に示すように、信号変換・切替回路２５1・２５2とそれぞれ双方向に接続可能である。
【０２５０】
図４４（ｂ）においては、複数の信号変換・切替回路２５1・２５2により、ＵＳＢＰＤ４Ｕ用のリセプタクル４１ＵＲ・電力供給装置（ＰＤ）４用のリセプタクル４１Ｒの制御入力信号の切り替えを実施可能である。
【０２５１】
リセプタクル４１ＵＲ・プラグ２Ａ間は電力ラインＰＯＬによって接続される。リセプタクル４１Ｒ・プラグ２Ｂ間は電力ラインＰＯＬ・通信専用ラインＣＯＬが接続される。
【０２５２】
信号変換・切替回路２５1・２５2は、図４４（ｂ）に示すように、リセプタクル４１ＵＲ・４１Ｒとそれぞれ双方向に接続可能である。
【０２５３】
実施の形態に係る電力供給装置（ＰＤ）４を内蔵したＡＣアダプタ／ＡＣチャージャ３は、図４５（ａ）に示すように、コンセント１に接続可能なプラグ２とケーブルを用いて接続可能であり、また外部に配置されたプラグ５と接続可能である。信号変換・切替回路２５・プラグ５間は電力ラインＰＯＬ・通信専用ラインＣＯＬによって接続される。図４５（ａ）においては、信号変換・切替回路２５により、電力供給装置（ＰＤ）４の制御入力信号の切り替えを実施可能である。信号変換・切替回路２５は、電力供給装置（ＰＤ）４に内蔵可能である。
【０２５４】
また、実施の形態に係る電力供給装置を内蔵したＡＣアダプタ／ＡＣチャージャ３は、図４５（ｂ）に示すように、コンセント１に接続可能なプラグ２とケーブルを用いて接続可能であり、また電力供給装置（ＰＤ）４用のリセプタクル４１Ｒ・信号変換・切替回路２５を備えていても良い。図４５（ｂ）においては、信号変換・切替回路２５により、電力供給装置（ＰＤ）４用のリセプタクル４１Ｒの制御入力信号の切り替えを実施可能である。
【０２５５】
また、実施の形態に係る電力供給装置を内蔵したＡＣアダプタ／ＡＣチャージャ３は、図４５（ｃ）に示すように、コンセント１に接続可能なプラグ２とケーブルを用いて接続可能であり、またプラグ４１Ｐを備えていても良い。プラグ４１Ｐは外部に配置されたプラグ５と接続可能である。プラグ４１Ｐ・プラグ５間は電力ラインＰＯＬ・通信専用ラインＣＯＬによって接続される。図４５（ｃ）においては、信号変換・切替回路２５により、電力供給装置（ＰＤ）４用のプラグ４１Ｐの制御入力信号の切り替えを実施可能である。
【０２５６】
また、実施の形態に係る電力供給装置（ＰＤ）４を内蔵したＡＣアダプタ／ＡＣチャージャ３は、図４６（ａ）に示すように、コンセント１に接続可能なプラグ２とＵＳＢＰＤケーブル６を用いて接続され、また外部に配置されたプラグ５と接続可能である。信号変換・切替回路２５・プラグ５間は電力ラインＰＯＬ・通信専用ラインＣＯＬによって接続される。。図４６（ａ）においては、信号変換・切替回路２５により、電力供給装置（ＰＤ）４の制御入力信号の切り替えを実施可能である。信号変換・切替回路２５は、電力供給装置（ＰＤ）４に内蔵可能である。
【０２５７】
また、実施の形態に係る電力供給装置を内蔵したＡＣアダプタ／ＡＣチャージャ３は、図４６（ｂ）に示すように、コンセント１に接続可能なプラグ２とＵＳＢＰＤケーブル６を用いて接続可能であり、またリセプタクル４１Ｒを備えていても良い。図４６（ｂ）においては、信号変換・切替回路２５により、電力供給装置（ＰＤ）４用のリセプタクル４１Ｒの制御入力信号の切り替えを実施可能である。
【０２５８】
また、実施の形態に係る電力供給装置を内蔵したＡＣアダプタ／ＡＣチャージャ３は、図４６（ｃ）に示すように、コンセント１に接続可能なプラグ２とＵＳＢＰＤケーブル６を用いて接続され、またプラグ４１Ｐを備えていても良い。プラグ４１Ｐは外部に配置されたプラグ５と接続可能である。プラグ４１Ｐ・プラグ５間は電力ラインＰＯＬ・通信専用ラインＣＯＬによって接続される。図４６（ｃ）においては、信号変換・切替回路２５により、電力供給装置（ＰＤ）４用のプラグ４１Ｐの制御入力信号の切り替えを実施可能である。
【０２５９】
また、コンセント１に接続可能なプラグ２は、図４７（ａ）〜図４７（ｃ）に示すように、実施の形態に係る電力供給装置を内蔵したＡＣアダプタ／ＡＣチャージャ３に内蔵されていても良い。
【０２６０】
実施の形態に係る電力供給装置（ＰＤ）４およびプラグ２を内蔵したＡＣアダプタ／ＡＣチャージャ３は、図４７（ａ）に示すように、外部に配置されたプラグ５と接続可能である。信号変換・切替回路２５・プラグ５間は電力ラインＰＯＬ・通信専用ラインＣＯＬによって接続される。図４７（ａ）においては、信号変換・切替回路２５により、電力供給装置（ＰＤ）４の制御入力信号の切り替えを実施可能である。信号変換・切替回路２５は、電力供給装置（ＰＤ）４に内蔵可能である。
【０２６１】
また、実施の形態に係る電力供給装置およびプラグ２を内蔵したＡＣアダプタ／ＡＣチャージャ３は、図４７（ｂ）に示すように、リセプタクル４１Ｒを備えていても良い。図４７（ｂ）においては、信号変換・切替回路２５により、電力供給装置（ＰＤ）４用のリセプタクル４１Ｒの制御入力信号の切り替えを実施可能である。
【０２６２】
また、実施の形態に係る電力供給装置およびプラグ２を内蔵したＡＣアダプタ／ＡＣチャージャ３は、図４７（ｃ）に示すように、プラグ４１Ｐを備えていても良い。プラグ４１Ｐは外部に配置されたプラグ５と接続可能である。プラグ４１Ｐ・プラグ５間は電力ラインＰＯＬ・通信専用ラインＣＯＬによって接続される。図４７（ｃ）においては、信号変換・切替回路２５により、電力供給装置（ＰＤ）４用のプラグ４１Ｐの制御入力信号の切り替えを実施可能である。
【０２６３】
実施の形態に係る電力供給装置は、図４８（ａ）〜図４８（ｃ）に示すように、ＡＣアダプタ／ＡＣチャージャ３に複数個内蔵可能である。また、コンセント１に接続可能なプラグ２を内蔵している。
【０２６４】
複数の実施の形態に係る電力供給装置（ＰＤ）４１・４２およびプラグ２を内蔵したＡＣアダプタ／ＡＣチャージャ３は、図４８（ａ）に示すように、外部に配置された複数のプラグ５１・５２と接続可能である。信号変換・切替回路２５とプラグ５１・５２間は電力ラインＰＯＬ・通信専用ラインＣＯＬによって接続される。図４８（ａ）においては、信号変換・切替回路２５により、電力供給装置（ＰＤ）４１・４２の制御入力信号の切り替えを実施可能である。信号変換・切替回路２５は、電力供給装置（ＰＤ）４１・４２に内蔵可能である。
【０２６５】
また、複数の実施の形態に係る電力供給装置（ＰＤ）４１・４２およびプラグ２を内蔵したＡＣアダプタ／ＡＣチャージャ３は、図４８（ｂ）に示すように、リセプタクル４１Ｒ・４２Ｒを備えていても良い。図４８（ｂ）においては、信号変換・切替回路２５により、電力供給装置（ＰＤ）４１・４２用のリセプタクル４１Ｒ・４２Ｒの制御入力信号の切り替えを実施可能である。
【０２６６】
また、複数の実施の形態に係る電力供給装置（ＰＤ）４１・４２およびプラグ２を内蔵したＡＣアダプタ／ＡＣチャージャ３は、図４８（ｃ）に示すように、プラグ４１Ｐ・４２Ｐを備えていても良い。プラグ４１Ｐ・４２Ｐは外部に配置されたプラグ５１・５２と接続可能である。プラグ４１Ｐ・４２Ｐとプラグ５１・５２間は電力ラインＰＯＬ・通信専用ラインＣＯＬによって接続される。図４８（ｃ）においては、信号変換・切替回路２５により、電力供給装置（ＰＤ）４１・４２用のプラグ４１Ｐ・４２Ｐの制御入力信号の切り替えを実施可能である。
【０２６７】
（電子機器）
第１〜第８の実施の形態に係る電力供給装置は、図４９〜図５０に示すように、電子機器７に内蔵可能である。電子機器としては、例えば、モニタ、外部ハードディスクドライブ、セットトップボックス、ラップトップＰＣ、タブレットＰＣ、スマートホン、バッテリーチャージャシステム、パーソナルコンピュータ、ドッキングステーション、ディスプレイ、プリンタ、掃除機、冷蔵庫、ファクシミリ、電話機、カーナビゲーション、カーコンピュータ、テレビ、メガネ、ヘッドマウントディスプレイ、扇風機、エアコン、レーザディスプレイ若しくは壁コンセントなどさまざまな機器を適用可能である。
【０２６８】
コンセント１に接続可能なプラグ２と電子機器７をケーブルを用いて接続する結線例であって、電子機器７内部に電力供給装置４１・４２およびリセプタクル４１Ｒ・４２Ｒを内蔵する内部回路７１・７２を備える例は、図４９（ａ）に示すように表される。
【０２６９】
また、コンセント１に接続可能なプラグ２を電子機器７に内蔵し、電子機器７内部に電力供給装置４１・４２およびリセプタクル４１Ｒ・４２Ｒを内蔵する内部回路７１・７２を備える例は、図４９（ｂ）に示すように表される。
【０２７０】
図４９（ａ）・図４９（ｂ）において、リセプタクル４１Ｒ・４２Ｒ間は、電力ラインＰＯＬ・通信専用ラインＣＯＬによって接続可能である。図４９（ａ）・図４９（ｂ）においては、信号変換・切替回路２５により、電力供給装置（ＰＤ）４１・４２用のリセプタクル４１Ｒ・４２Ｒの制御入力信号の切り替えを実施可能である。
【０２７１】
コンセント１に接続可能なプラグ２を電子機器７に内蔵し、電子機器７内部に電力供給装置４１・４２およびリセプタクル４１Ｒ・４２Ｒを内蔵する内部回路７１・７２を備える例において、１つの内部回路７２内に外部に接続されるリセプタクル４３Ｒを有する例は、図５０（ａ）に示すように表される。
【０２７２】
また、コンセント１に接続可能なプラグ２を電子機器７に内蔵し、電子機器７内部に電力供給装置４１・４２およびリセプタクル４１Ｒ・４２Ｒを内蔵する内部回路７１・７２を備える例において、１つの内部回路７２内に外部に接続される複数のリセプタクル４３Ｒ・４４Ｒを有する例は、図５０（ｂ）に示すように表される。
【０２７３】
図５０（ａ）・図５０（ｂ）においても、リセプタクル４１Ｒ・４２Ｒ間は、電力ラインＰＯＬ・通信専用ラインＣＯＬによって接続可能である。また、図５０（ａ）・図５０（ｂ）においては、信号変換・切替回路２５により、電力供給装置（ＰＤ）４１・４２用のリセプタクル４１Ｒ・４２Ｒの制御入力信号の切り替えを実施可能である。
【０２７４】
（保護機能）
接続対象をスマートホン１６０とする場合の実施の形態に係る電力供給装置４の保護機能の説明図は、図５１（ａ）に示すように表され、接続対象をラップトップＰＣ１４０とする場合の実施の形態に係る電力供給装置４の保護機能の説明図は、図５１（ｂ）に示すように表される。
【０２７５】
実施の形態に係る電力供給装置４は、図５１（ａ）・図５１（ｂ）に示すように、１次側過電力保護回路（ＯＰＰ１）８１・８３と、１次側過電力保護回路（ＯＰＰ１）８１・８３と接続された２次側過電力保護回路（ＯＰＰ２）８２・８４とを備えていても良い。１次側過電力保護回路（ＯＰＰ１）８１・８３は、１次側コントローラ（図示省略）に接続される。また、１次側過電力保護回路（ＯＰＰ１）８１・８３は、１次側コントローラに内蔵されていても良い。２次側過電力保護回路（ＯＰＰ２）８２・８４は、２次側コントローラ１６に接続される。
【０２７６】
また、図５１（ａ）・図５１（ｂ）に示すように、リセプタクル４１Ｒ・接続対象（スマートホン１６０・ラップトップＰＣ１４０）間は電力ラインＰＯＬ・通信専用ラインＣＯＬによって接続される。２次側コントローラ１６とリセプタクル４１Ｒ間には、信号変換・切替回路２５が接続されており、信号変換・切替回路２５により、電力供給装置（ＰＤ）４１・４２用のリセプタクル４１Ｒの制御入力信号の切り替えを実施可能である。
【０２７７】
リセプタクル４１Ｒに接続される対象機器（セット）に応じて、リセプタクル４１Ｒにおける電力情報・通信制御情報が２次側コントローラ１６から２次側過電力保護回路（ＯＰＰ２）８２・８４に伝送され、更に２次側過電力保護回路（ＯＰＰ２）８２・８４は、この電力情報・通信制御情報を１次側過電力保護回路（ＯＰＰ１）８１・８３に伝送する。この結果、リセプタクル４１Ｒに接続される対象機器（セット）に応じて、過電流検出設定値を変更し、ＤＣ／ＤＣコンバータ１３の電力切り替えを実施可能である。
【０２７８】
リセプタクル４１Ｒにおける電力情報・通信制御情報が過電流検出設定値を超えたか否かの判断は、１次側過電力保護回路（ＯＰＰ１）８１・２次側過電力保護回路（ＯＰＰ２）８２のいずれで実施しても良い。
【０２７９】
リセプタクル４１Ｒにおける電力情報・通信制御情報が過電流（過電力）検出設定値を超えたと判断された場合には、１次側過電力保護回路（ＯＰＰ１）８１・８３は、１次側コントローラ（図示省略）に過電流（過電力）保護制御信号を送信して、ＤＣ／ＤＣコンバータ１３の電力抑制のための切り替えを実施可能である。
【０２８０】
実施の形態に係る電力供給装置４には、過電流保護（ＯＣＰ：Over Current Protection）、過電力保護（ＯＰＰ：Over Power Protection）、過電圧（ＯＶＰ：Over Voltage Protection）保護、過負荷保護（ＯＬＰ：Over Load Protection）、過温度保護(ＴＳＤ:Thermal Shut Down)などの諸機能を適用可能である。
【０２８１】
実施の形態に係る電力供給装置４には、例えば、１次側コントローラ（図示省略）に何らかのセンサ素子を接続し、このセンサ素子の特性に応じて保護を実施するセンサ（ＳＥＮＳＯＲ）保護機能を備えていても良い。
【０２８２】
実施の形態に係る電力供給装置４において、過電流（過電力）検出設定値を変更する場合は、上記のように、リセプタクル４１Ｒにおける電力情報・通信制御情報を２次側コントローラ１６・２次側過電力保護回路（ＯＰＰ２）８２・８４を介して１次側過電力保護回路（ＯＰＰ１）８１・８３に伝送し、リセプタクル４１Ｒに接続される対象機器（セット）に応じて、過電流検出設定値を変更し、ＤＣ／ＤＣコンバータ１３の電力切り替えを実施可能である。
【０２８３】
また、実施の形態に係る電力供給装置４において、過電流（過電力）検出設定値を変更する場合は、リセプタクル４１Ｒにおける電力情報・通信制御情報を２次側コントローラ１６から直接１次側過電力保護回路（ＯＰＰ１）８１・８３に伝送して、１次側過電力保護回路（ＯＰＰ１）８１・８３において、直接設定値を変更するようにしても良い。
【０２８４】
また、実施の形態に係る電力供給装置４の外部から直接１次側過電力保護回路（ＯＰＰ１）８１・８３に伝送するようにしても良い。
【０２８５】
このように、実施の形態に係る電力供給装置４においては、１次側過電力保護回路（ＯＰＰ１）８１・８３において、リセプタクル４１Ｒに接続される対象機器（セット）に応じて、供給電力レベルを変更可能である。この結果、異常状態における対象機器（セット）の破壊を防止可能である。
【０２８６】
接続対象をスマートホン１６０とする場合、スマートホン１６０（電力量５Ｖ・１Ａ＝５Ｗ）に対して、２次側コントローラ１６から２次側過電力保護回路（ＯＰＰ２）８２に、例えば、７Ｗの電力情報・通信制御情報が伝送されると、２次側過電力保護回路（ＯＰＰ２）８２から１次側過電力保護回路（ＯＰＰ１）８１にこの７Ｗの電力情報・通信制御情報が伝送され、１次側過電力保護回路（ＯＰＰ１）８１において、７Ｗから例えば１０Ｗへの過電流（過電力）検出設定値ＵＰの切り替え（ＳＷ）を行う。この結果、実施の形態に係る電力供給装置４のＤＣ／ＤＣコンバータでは、１０Ｗまでの電力伝送可能になる。
【０２８７】
接続対象をラップトップＰＣ１４０とする場合、ラップトップＰＣ１４０（電力量２０Ｖ・３Ａ＝６０Ｗ）に対して、２次側コントローラ１６から２次側過電力保護回路（ＯＰＰ２）８４に、例えば、８０Ｗの電力情報・通信制御情報が伝送されると、２次側過電力保護回路（ＯＰＰ２）８４から１次側過電力保護回路（ＯＰＰ１）８３にこの８０Ｗの電力情報・通信制御情報が伝送され、１次側過電力保護回路（ＯＰＰ１）８３において、８０Ｗから例えば１００Ｗへの過電流（過電力）検出設定値ＵＰの切り替え（ＳＷ）を行う。この結果、実施の形態に係る電力供給装置４のＤＣ／ＤＣコンバータでは、１００Ｗまでの電力伝送可能になる。
【０２８８】
（リセプタクル／プラグ）
リセプタクルを搭載したＡＣアダプタ・ＡＣチャージャ・電子機器・ドッキングステーションに適用可能な実施の形態に係る電力供給装置８５は、図５２に示すように、例えばＡＣ電源１００Ｖ〜１１５Ｖを有するコンセントに接続可能であり、かつ電力ラインＰＯＬ・通信専用ラインＣＯＬに接続されたプラグを挿入可能である。プラグ構造の例は、図２１（ａ）若しくは図５５に示される。
【０２８９】
電力ラインＰＯＬは、リセプタクルの上側電力端子ＰＵ・下側電力端子ＰＤのいずれにも接続可能であり、通信専用ラインＣＯＬは、リセプタクルの上側通信端子ＣＵ・下側通信端子ＣＤのいずれにも接続可能である。
【０２９０】
電力ラインＰＯＬには電力情報が伝送可能であり、通信専用ラインＣＯＬには通信制御情報が伝送可能である。実施の形態に係る電力供給装置を搭載したＡＣアダプタ・ＡＣチャージャ・電子機器に適用可能な電力供給装置８５は、図５２に示すように、電力端子ＰＵ・ＰＤ、通信端子ＣＵ・ＣＤのいずれも接続可能であり、対応するプラグの上下（表裏）を選ぶ必要が無く、使用勝手が良い。ここで、リセプタクルの上側電力端子ＰＵ・下側電力端子ＰＤは、図１８・図１９に示されたリセプタクル４１Ｒ（４２Ｒ）の上側ＶＢＵＳ端子・下側ＶＢＵＳ端子に対応している。また、リセプタクルの上側通信端子ＣＵ・下側通信端子ＣＤは、図１８・図１９に示されたリセプタクル４１Ｒ（４２Ｒ）の上側通信端子ＣＣ１（ＣＣ２）・下側通信端子ＣＣ１（ＣＣ２）に対応している。なお、他の端子については、図示を省略し、簡略化表示している。
【０２９１】
また、リセプタクルを搭載したＡＣアダプタ・ＡＣチャージャ・電子機器・ドッキングステーションに適用可能な実施の形態に係る電力供給装置８６は、図５３に示すように、例えばＡＣ電源２３０Ｖを有するコンセントに接続可能であり、かつかつ電力ラインＰＯＬ・通信専用ラインＣＯＬに接続されたプラグを挿入可能である。プラグ構造の例は、図２１（ａ）若しくは図５５に示される。
【０２９２】
また、リセプタクルを搭載したＡＣアダプタ・ＡＣチャージャ・電子機器に適用可能な実施の形態に係る電力供給装置８７は、図５４に示すように、例えばＡＣ電源１００Ｖ〜１１５Ｖを有するコンセントに接続可能であり、かつ電力ラインＰＯＬ・通信専用ラインＣＯＬに接続された複数のプラグを挿入可能である。プラグ構造の例は、図２１（ａ）若しくは図５５に示される。
【０２９３】
信号変換・切替回路は、ＡＣアダプタ・ＡＣチャージャ・電子機器・ドッキングステーションに１個若しくは複数内蔵可能である。このような信号変換・切替回路動作によって、電力供給装置８５・８６・８７の出力の取り出し個数を様々に選択可能である。例えば、取り出し個数比を１：Ｎ、１：１、Ｎ：１としても良い。ここで、Ｎは２以上の整数である。また、ＵＳＢＰＤリセプタクルと併用することも可能である。
【０２９４】
また、プラグ２を搭載したＡＣアダプタ・ＡＣチャージャ・電子機器に適用可能な実施の形態に係る電力供給装置８８は、図５５に示すように、例えばＡＣ電源１００Ｖ〜１１５Ｖを有するコンセントや、ＡＣ電源２３０Ｖを有するコンセントに接続可能である。プラグ２は、図４３（ａ）・図４３（ｂ）、図４４（ｂ）、図４５（ａ）・図４５（ｃ）、図４６（ａ）・図４６（ｃ）、図４７（ａ）・図４７（ｃ）、図４８（ａ）・図４８（ｃ）の形態と同義である。また、プラグ２は、ＵＳＢ−ＰＤにも適用可能であっても良い。
【０２９５】
（複数の接続対象）
実施の形態に係る電力供給装置において、複数のリセプタクルを介して複数の接続対象と接続する模式的回路ブロック構成は、図５６に示すように表される。図５６において、２次側コントローラ（図示省略）と接続される信号変換・切替回路２５は、リセプタクル４１Ｒ１・４１Ｒ２・４１Ｒ３を介して、それぞれ接続対象であるスマートホン１６０・ラップトップＰＣ１４０・タブレットＰＣ１５０に接続される。リセプタクル４１Ｒ１・４１Ｒ２・４１Ｒ３とスマートホン１６０・ラップトップＰＣ１４０・タブレットＰＣ１５０間には、電力ラインＰＯＬ・通信専用ラインＣＯＬが接続されている。電力ラインＰＯＬは、信号変換・切替回路２５によって制御可能なスイッチＳＷCによってスイッチング制御され、電力線出力（ＶＢＵＳ）に接続される。通信専用ラインＣＯＬ上には、スマートホン１６０・ラップトップＰＣ１４０・タブレットＰＣ１５０から電力供給装置４への制御入力信号および実施の形態に係る電力供給装置からスマートホン１６０・ラップトップＰＣ１４０・タブレットＰＣ１５０への制御出力信号が伝送可能である。
【０２９６】
複数のリセプタクル４１Ｒ１・４１Ｒ２・４１Ｒ３・４１Ｒ４を搭載したＡＣアダプタ・ＡＣチャージャ・電子機器・ドッキングステーションに適用可能な実施の形態に係る電力供給装置８９の模式的鳥瞰構造例は、図５７に示すように表される。図５７の例では、４個のリセプタクル４１Ｒ１・４１Ｒ２・４１Ｒ３・４１Ｒ４が接続可能であり、スイッチ８９Ｓによって、手動で切り替えることができる。図５６示されたリセプタクル４１Ｒ１・４１Ｒ２・４１Ｒ３は、図５７のリセプタクル４１Ｒ１・４１Ｒ２・４１Ｒ３と対応している。また、図５７の例では、４個のリセプタクル４１Ｒ１・４１Ｒ２・４１Ｒ３・４１Ｒ４の例が示されているが、例えば、２個、或いは６個など、任意の個数に対応可能である。
【０２９７】
（ＵＳＢＰＤ通信）
複数の実施の形態に係る電力供給装置間で、制御入出力信号をＵＳＢＰＤ通信に使用する例を説明する模式的回路ブロック構成は、図５８（ａ）に示すように表され、図５８（ａ）において、信号変換・切替回路内を制御入出力信号がスルーする場合を示す模式的回路ブロック構成は、図５８（ｂ）に示すように表される。
【０２９８】
第１の電力供給装置においては、図５８（ａ）に示すように、２次側コントローラ１６1が結合キャパシタＣCを介して信号変換・切替回路２５1に接続され、信号変換・切替回路２５1は、制御端子ＣＴ１に接続されている。その他の構成は図示を省略している。
【０２９９】
第２の電力供給装置においては、図５８（ａ）に示すように、２次側コントローラ１６2が結合キャパシタＣCを介して信号変換・切替回路２５2に接続され、信号変換・切替回路２５2は、制御端子ＣＴ２に接続されている。その他の構成は図示を省略している。なお、信号変換・切替回路２５1・２５2は、ＡＣ結合キャパシタを介して制御端子ＣＴ１・ＣＴ２に接続されていても良い。また、電力ラインＰＯＬ（ＶＢＵＳ出力）と信号変換・切替回路２５1・２５2との間には、出力キャパシタＣOが接続される（図示省略）。
【０３００】
ＵＳＢＰＤ通信では、制御端子ＣＴ１・ＣＴ２間は、電力ラインＰＯＬで接続される。
【０３０１】
第１の電力供給装置・第２の電力供給装置間で、制御入出力信号をＵＳＢＰＤ通信に使用する場合、図５８（ｂ）に示すように、信号変換・切替回路２５1内を制御入出力信号がスルーするように構成すればよい。
【０３０２】
（電力供給システム）
実施の形態に係る電力供給装置を適用可能な電力供給システムにおいては、ケーブルの方向を変えることなく、電力のソースを切り替えることができる。例えば、外部機器からラップトップＰＣのバッテリーの充電と、ラップトップＰＣのバッテリーや内部電力供給装置から外部機器（ディスプレイなど）の給電をケーブルの差し替えなしで実現可能である。
【０３０３】
また、電力ラインＰＯＬ・通信専用ラインＣＯＬを介して、２つのユニット間で、電力伝送・半二重データ通信を実現可能である。
【０３０４】
実施の形態に係る電力供給装置を適用可能な電力供給システムにおいて、バッテリーチャージャシステムとラップトップＰＣとの間では、ＤＣ電力供給（ＤＣ出力ＶＢＵＳ）とデータ通信を電力ラインＰＯＬ・通信専用ラインＣＯＬを用いて伝送可能である。ここで、バッテリーチャージャシステム・ラップトップＰＣには、実施の形態に係る電力供給装置が搭載される。
【０３０５】
実施の形態に係る電力供給装置を適用可能な電力供給システムにおいて、スマートホンとラップトップＰＣとの間においても、電力ラインＰＯＬ・通信専用ラインＣＯＬを用いて、ＤＣ電力供給（ＤＣ出力ＶＢＵＳ）、データ通信を電力ラインＰＯＬ・通信専用ラインＣＯＬを用いて伝送可能である。ここで、スマートホン・ラップトップＰＣには、実施の形態に係る電力供給装置が搭載される。
【０３０６】
実施の形態に係る電力供給装置を適用可能な電力供給システムにおいて、２つのパーソナルコンピュータＰＣＡ・ＰＣＢ間のデータ通信および電力供給を説明する模式的ブロック構成は、図５９に示すように表される。図５９において、ＤＣ／ＤＣコンバータは図示を省略し、２次側コントローラ１６Ａ・１６Ｂ・信号変換・切替回路２５Ａ・２５Ｂが示されている。パーソナルコンピュータＰＣＡ・ＰＣＢには、実施の形態に係る電力供給装置が搭載されている。なお、２次側コントローラ１６Ａ・１６Ｂと信号変換・切替回路２５Ａ・２５Ｂ間は、直接接続されている。また、２次側コントローラ１６Ａ・１６Ｂと信号変換・切替回路２５Ａ・２５Ｂ間は、結合キャパシタＣCを介して接続されていても良い。また、電力ラインＰＯＬ（ＶＢＵＳ出力）と信号変換・切替回路２５Ａ・２５Ｂとの間には、出力キャパシタＣOが接続される（図示省略）。
【０３０７】
パーソナルコンピュータＰＣＡ・ＰＣＢ間は、電力ラインＰＯＬおよび通信専用ラインＣＯＬを介して接続される。通信専用ラインＣＯＬは制御端子ＣＴ１・ＣＴ２間に接続される。
【０３０８】
図５９に示すように、制御端子ＣＴ１は信号変換・切替回路２５Ａを介して、コントローラ１６Ａに接続され、制御端子ＣＴ２は信号変換・切替回路２５Ｂを介して、コントローラ１６Ｂに接続される。また、信号変換・切替回路２５Ａ・２５Ｂと制御端子ＣＴ１・ＣＴ２間は、ＡＣ結合キャパシタを介して接続されていても良い。また、パーソナルコンピュータＰＣＡには、バッテリーＥとバッテリーＥに接続されるバッテリーチャージャＩＣ（ＣＨＧ）５３が搭載され、パーソナルコンピュータＰＣＢには、パワーマネージメントＩＣ（ＰＭＩＣ：Power Management IC）５４が搭載されている。
【０３０９】
実施の形態に係る電力供給装置を適用可能な電力供給システムにおいては、例えば、パーソナルコンピュータＰＣＢからパーソナルコンピュータＰＣＡのバッテリーＥの充電と、パーソナルコンピュータＰＣＡのバッテリーＥからパーソナルコンピュータＰＣＢの給電をケーブルの差し替えなしで実現可能である。
【０３１０】
また、通信専用ラインＣＯＬには、信号変換・切替回路２５Ａ・２５Ｂを介して２次側コントローラ１６Ａ・１６Ｂが接続されていて、パーソナルコンピュータＰＣＡ・ＰＣＢ間において、例えば、半二重データ通信を実現している。ここで、キャリア周波数は、例えば、約２３．２ＭＨｚであり、ＦＳＫ変復調周波数は、例えば、約３００ｋｂｐｓである。ここで、符号誤り率（ＢＥＲ：Bit Error Rate）は、例えば、約１×１０-6であり、ビスト（ＢＩＳＴ：built-in self test）用のＬＳＩを内蔵していても良い。
【０３１１】
実施の形態に係る電力供給装置を適用可能な電力供給システムにおいて、２つのユニット５６・５８間のデータ通信および電力供給を説明する模式的ブロック構成は、図６０（ａ）に示すように表される。
【０３１２】
２つのユニット５６・５８間は、電力ラインＰＯＬおよび通信専用ラインＣＯＬにより接続される。電力ラインＰＯＬおよび通信専用ラインＣＯＬは、２つのユニット５６・５８に内蔵されるリセプタクル４１Ｒ・４２Ｒにプラグ接続される。
【０３１３】
２つのユニット５６・５８は、任意の電子機器であり、実施の形態に係る電力供給装置が搭載されている。図６０（ａ）において、ＤＣ／ＤＣコンバータは図示を省略し、２次側コントローラ１６Ａ・１６Ｂ・信号変換・切替回路２５Ａ・２５Ｂが示されている。また、２次側コントローラ１６Ａ・１６Ｂと信号変換・切替回路２５Ａ・２５Ｂ間は、直接接続されている。また、２次側コントローラ１６Ａ・１６Ｂと信号変換・切替回路２５Ａ・２５Ｂ間は、結合キャパシタＣCを介して接続されていても良い。また、電力ラインＰＯＬ（ＶＢＵＳ出力）と信号変換・切替回路２５Ａ・２５Ｂとの間には、出力キャパシタＣOが接続される（図示省略）。
【０３１４】
実施の形態に係る電力供給装置を内蔵したＡＣアダプタ／ＡＣチャージャ３・スマートホン１６０からなる電力供給システムの模式的ブロック構成は、図６０（ｂ）に示すように表される。
【０３１５】
ＡＣアダプタ／ＡＣチャージャ３・スマートホン１６０間は、電力ラインＰＯＬおよび通信専用ラインＣＯＬにより接続される。電力ラインＰＯＬおよび通信専用ラインＣＯＬは、ＡＣアダプタ３・スマートホン１６０に内蔵されるリセプタクル４１Ｒ・４２Ｒにプラグ接続される。
【０３１６】
ＡＣアダプタ／ＡＣチャージャ３・スマートホン１６０には、実施の形態に係る電力供給装置が搭載されている。図６０（ｂ）において、ＤＣ／ＤＣコンバータは図示を省略し、２次側コントローラ１６Ａ・１６Ｂ・信号変換・切替回路２５Ａ・２５Ｂが示されている。
【０３１７】
ＡＣアダプタ／ＡＣチャージャ３は、ＡＣ／ＤＣコンバータ６０・２次側コントローラ１６Ａ・信号変換・切替回路２５Ａを備える。スマートホン１６０は、２次側コントローラ１６Ｂ・信号変換・切替回路２５Ｂ・組込み型コントローラ（ＥＭＢＣ）６４・ＣＰＵ６８・ＰＭＩＣ５４・バッテリー６６・バッテリーチャージャＩＣ（ＣＨＧ）６２を備える。２次側コントローラ１６Ａ・１６Ｂと信号変換・切替回路２５Ａ・２５Ｂ間には、結合キャパシタＣCを備えていても良い。また、電力ラインＰＯＬ（ＶＢＵＳ出力）と信号変換・切替回路２５Ａ・２５Ｂとの間には、出力キャパシタＣOが接続される（図示省略）。また、信号変換・切替回路２５Ａ・２５Ｂとリセプタクル４１Ｒ・４２Ｒ間には、ＡＣ結合キャパシタを備えていても良い。
【０３１８】
実施の形態に係る電力供給装置を適用可能な電力供給システムにおいては、例えば、ＡＣアダプタ／ＡＣチャージャ３からスマートホン１６０のバッテリー６６の充電と、スマートホン１６０のバッテリー６６から外部機器の給電をケーブルの差し替えなしで実現可能である。
【０３１９】
実施の形態に係る電力供給装置を内蔵した２つのユニット５６・５８からなる電力供給システムの模式的ブロック構成は、図６１に示すように表される。
【０３２０】
２つのユニット５６・５８間は、電力ラインＰＯＬおよび通信専用ラインＣＯＬにより接続される。電力ラインＰＯＬおよび通信専用ラインＣＯＬは、２つのユニット５６・５８に内蔵されるリセプタクル４１Ｒ・４２Ｒにプラグ接続される。
【０３２１】
２つのユニット５６・５８には、実施の形態に係る電力供給装置が搭載されている。図６１において、ＤＣ／ＤＣコンバータは図示を省略し、２次側コントローラ１６Ａ・１６Ｂ・信号変換・切替回路２５Ａ・２５Ｂが示されている。また、電力ラインＰＯＬ（ＶＢＵＳ出力）と信号変換・切替回路２５Ａ・２５Ｂとの間には、出力キャパシタＣOが接続される（図示省略）。
【０３２２】
ユニット５６は、ＡＣ／ＤＣコンバータ６０・２次側コントローラ１６Ａ・信号変換・切替回路２５Ａを備え、ユニット５８は、２次側コントローラ１６Ｂ・信号変換・切替回路２５Ｂ・負荷７０を備える。ここで、負荷７０は、ＣＰＵ、バッテリーＢＡＴ、コントローラＣＴＲなどで構成可能である。２次側コントローラ１６Ａ・１６Ｂと信号変換・切替回路２５Ａ・２５Ｂ間には、結合キャパシタを備えていても良い。また、信号変換・切替回路２５Ａ・２５Ｂとリセプタクル４１Ｒ・４２Ｒ間には、ＡＣ結合キャパシタを備えていても良い。
【０３２３】
実施の形態に係る電力供給装置を適用可能な電力供給システムにおいては、例えば、ユニット５６からユニット５８の給電と、ユニット５８から外部機器の給電をケーブルの差し替えなしで実現可能である。
【０３２４】
また、通信専用ラインＣＯＬには、信号変換・切替回路２５Ａ・２５Ｂを介して２次側コントローラ１６Ａ・１６Ｂが接続されていて、ユニット５６・５８間においても、例えば、半二重データ通信を実現している。
【０３２５】
実施の形態に係る電力供給装置を適用可能な電力供給システムにおいて、図６１の構成とは異なる２つのユニット５６・５８からなる模式的ブロック構成は、図６２に示すように表される。
【０３２６】
ユニット５６は、バッテリーＥ・ＣＰＵ６８Ａ・２次側コントローラ１６Ａ・信号変換・切替回路２５Ａを備え、ユニット５８は、ＣＰＵ６８Ｂ・２次側コントローラ１６Ｂ・信号変換・切替回路２５Ｂ・負荷ＣＬを備える。
【０３２７】
２つのユニット５６・５８間は、電力ラインＰＯＬおよび通信専用ラインＣＯＬにより接続される。電力ラインＰＯＬおよび通信専用ラインＣＯＬは、２つのユニット５６・５８に内蔵されるリセプタクル４１Ｒ・４２Ｒにプラグ接続される（図示省略）。電力ラインＰＯＬはバッテリーＥ・負荷ＣＬ間に接続され、通信専用ラインＣＯＬは２次側コントローラ１６Ａ・１６Ｂ間に接続される。また、電力ラインＰＯＬ（ＶＢＵＳ出力）と信号変換・切替回路２５Ａ・２５Ｂとの間には、出力キャパシタＣOが接続される（図示省略）。２次側コントローラ１６Ａ・１６Ｂと信号変換・切替回路２５Ａ・２５Ｂ間には、結合キャパシタを備えていても良い。また、信号変換・切替回路２５Ａ・２５Ｂと通信専用ラインＣＯＬ間には、ＡＣ結合キャパシタを備えていても良い。
【０３２８】
実施の形態に係る電力供給装置を適用可能な電力供給システムにおいては、例えば、ユニット５８からユニット５６のバッテリーＥの充電と、ユニット５６のバッテリーＥからユニット５８の給電をケーブルの差し替えなしで実現可能である。また、ユニット５６・５８間においても、例えば、半二重データ通信を実現している。
【０３２９】
実施の形態に係る電力供給装置をグローバルに適用可能な第１の電力供給システム１００は、図６３に示すように、プラグを介してコンセントに接続されるモニタ１１０と、ＵＳＢＰＤケーブルを用いてモニタ１１０に接続された外部ハードディスクドライブ１２０・セットトップボックス１８０・ラップトップＰＣ１４０・タブレットＰＣ１５０・スマートホン１６０とを備える。ここで、モニタ１１０は、他にＴＶやドッキングステーションであっても良い。
【０３３０】
各構成要素には、実施の形態に係る電力供給装置４が搭載されているが、図６３では、ＤＣ／ＤＣコンバータ・結合キャパシタＣCは図示を省略し、コントローラ１６・信号変換・切替回路２５が示されている。また、電力ラインＰＯＬ（ＶＢＵＳ出力）と信号変換・切替回路２５との間には、出力キャパシタＣOが接続される（図示省略）。また、通信専用ラインＣＯＬにＡＣ結合キャパシタを適用しても良い。また、ＵＳＢＰＤを適用する場合には、コントローラ１６は、ＵＳＢＰＤコントローラを適用しても良い。
【０３３１】
モニタ１１０と外部ハードディスクドライブ１２０・セットトップボックス１８０・ラップトップＰＣ１４０・タブレットＰＣ１５０・スマートホン１６０との間では、電力ラインＰＯＬおよび通信専用ラインＣＯＬを用いて電力伝送および通信データ伝送が可能である。電力ラインＰＯＬは、太い実線で示されており、通信専用ラインＣＯＬは、破線で示されている。また、ＵＳＢＰＤを適用する場合には、破線で示される通信専用ラインＣＯＬの代わりに電力ラインＰＯＬを用いても良い。また、通信専用ラインＣＯＬは、ＡＣ結合キャパシタ（図示省略）を介して信号変換・切替回路２５・コントローラ１６に接続される。一方、ＡＣ結合キャパシタを介さずに直接信号変換・切替回路２５・コントローラ１６に接続されていても良い。
【０３３２】
円形破線で示される部分は、電力ラインＰＯＬ用のケーブルと通信専用ラインＣＯＬ用のケーブルが分離されていることを示している。電力ラインＰＯＬ用のケーブルとしては、ＵＳＢＰＤケーブル、通信専用ラインＣＯＬ用ケーブルとしては通信専用ケーブル（ＣＯＭ）を適用可能である。また、電力ラインＰＯＬ・通信専用ラインＣＯＬ変換内蔵ケーブルを使用しても良い。
【０３３３】
モニタ１１０には、ＡＣ／ＤＣコンバータ６０・コントローラ１６・信号変換・切替回路２５が搭載され、外部ハードディスクドライブ１２０には、ＣＰＵ＋インタフェースボード１２２・コントローラ１６・信号変換・切替回路２５が搭載され、セットトップボックス１８０には、ＣＰＵ＋インタフェースボード１３２・コントローラ１６・信号変換・切替回路２５が搭載され、ラップトップＰＣ１４０には、ＮＶＤＣ（Narrow Voltage DC/DC）チャージャ１４２・ＣＰＵ１４８・ＰＣＨ（Platform Control Hub）１４７・ＥＣ（Embedded Controller）１４６・コントローラ１６・信号変換・切替回路２５が搭載され、タブレットＰＣ１５０には、ＡＣＰＵ（Application CPU）１５６・バッテリーチャージャＩＣ（ＣＨＧ）１５８・バッテリー１５７・コントローラ１６・信号変換・切替回路２５が搭載され、スマートホン１６０には、ＡＣＰＵ１６６・ＵＳＢチャージャ１６２・バッテリー１７２・コントローラ１６・信号変換・切替回路２５が搭載されている。
【０３３４】
実施の形態に係る電力供給装置をグローバルに適用可能な第２の電力供給システム２００は、図６４に示すように、プラグを介してコンセントに接続されるＵＳＢＰＤアダプタ２３０と、ＵＳＢＰＤアダプタ２３０に接続されたラップトップＰＣ１４０と、ラップトップＰＣ１４０に接続された外部ハードディスクドライブ１２０・モニタ１１０・タブレットＰＣ１５０・スマートホン１６０とを備える。ここで、ラップトップＰＣ１４０は、他にドッキングステーションであっても良い。
【０３３５】
各構成要素には、実施の形態に係る電力供給装置４が搭載されているが、図６４では、ＤＣ／ＤＣコンバータ・結合キャパシタＣCは図示を省略し、コントローラ１６・信号変換・切替回路２５が示されている。電力ラインＰＯＬ（ＶＢＵＳ出力）と信号変換・切替回路２５との間には、出力キャパシタＣOが接続される（図示省略）。また、通信専用ラインＣＯＬにＡＣ結合キャパシタを適用しても良い。また、ＵＳＢＰＤを適用する場合には、コントローラ１６は、ＵＳＢＰＤコントローラを適用しても良い。
【０３３６】
ラップトップＰＣ１４０とＵＳＢＰＤアダプタ２３０・外部ハードディスクドライブ１２０・モニタ１１０・タブレットＰＣ１５０・スマートホン１６０との間では、電力ラインＰＯＬおよび通信専用ラインＣＯＬを用いて電力伝送および通信データ伝送が可能である。
【０３３７】
ＵＳＢＰＤアダプタ２３０には、ＡＣ／ＤＣコンバータ６０・コントローラ１６・信号変換・切替回路２５が搭載される。ラップトップＰＣ１４０には、ＮＶＤＣチャージャ１４２・ＣＰＵ１４８・ＰＣＨ１４７・ＥＣ１４６・バッテリー１５４・ＤＣ／ＤＣコンバータ１５９・コントローラ１６1・１６2・信号変換・切替回路２５1・２５2が搭載され、モニタ１１０には、ＰＭＩＣ１１２・コントローラ１６・信号変換・切替回路２５が搭載される。その他の構成は、第１の電力供給システム１００（図６３）と同様である。
【０３３８】
実施の形態に係る電力供給装置をグローバルに適用可能な第３の電力供給システム３００は、図６５に示すように、プラグを介してコンセントに接続されるＵＳＢＰＤアダプタ／チャージャ３１０と、ＵＳＢＰＤアダプタ／チャージャ３１０に接続された外部ハードディスクドライブ１２０・モニタ１１０・セットトップボックス１８０・ラップトップＰＣ１４０・タブレットＰＣ１５０・スマートホン１６０とを備える。
【０３３９】
各構成要素には、実施の形態に係る電力供給装置４が搭載されているが、図６５では、ＤＣ／ＤＣコンバータ・結合キャパシタＣCは図示を省略し、コントローラ１６・信号変換・切替回路２５が示されている。電力ラインＰＯＬ（ＶＢＵＳ出力）と信号変換・切替回路２５との間には、出力キャパシタＣOが接続される（図示省略）。また、通信専用ラインＣＯＬにＡＣ結合キャパシタを適用しても良い。また、ＵＳＢＰＤを適用する場合には、コントローラ１６は、ＵＳＢＰＤコントローラを適用しても良い。
【０３４０】
ＵＳＢＰＤアダプタ／チャージャ３１０と外部ハードディスクドライブ１２０・モニタ１１０・セットトップボックス１８０・ラップトップＰＣ１４０・タブレットＰＣ１５０・スマートホン１６０との間では、電力ラインＰＯＬおよび通信専用ラインＣＯＬを用いて電力伝送および通信データ伝送が可能である。
【０３４１】
ＵＳＢＰＤアダプタ／チャージャ３１０には、ＡＣ／ＤＣコンバータ６０・コントローラ１６・信号変換・切替回路２５が搭載される。その他の構成は、第１の電力供給システム１００（図６３）・第２の電力供給システム２００（図６４）と同様である。
【０３４２】
実施の形態に係る電力供給装置を適用可能な第４の電力供給システム４００は、図６６に示すように、プラグを介してコンセントに接続される高機能ＵＳＢＰＤアダプタ／チャージャ３３０と、高機能ＵＳＢＰＤアダプタ／チャージャ３３０に接続された外部ハードディスクドライブ１２０・モニタ１１０・セットトップボックス１８０・ラップトップＰＣ１４０・タブレットＰＣ１５０・スマートホン１６０とを備える。
【０３４３】
各構成要素には、実施の形態に係る電力供給装置４が搭載されているが、図６６では、ＤＣ／ＤＣコンバータ・結合キャパシタＣCは図示を省略し、コントローラ１６・信号変換・切替回路２５が示されている。電力ラインＰＯＬ（ＶＢＵＳ出力）と信号変換・切替回路２５との間には、出力キャパシタＣOが接続される（図示省略）。また、通信専用ラインＣＯＬにＡＣ結合キャパシタを適用しても良い。また、ＵＳＢＰＤを適用する場合には、コントローラ１６は、ＵＳＢＰＤコントローラを適用しても良い。
【０３４４】
高機能ＵＳＢＰＤアダプタ／チャージャ３３０と外部ハードディスクドライブ１２０・モニタ１１０・セットトップボックス１８０・ラップトップＰＣ１４０・タブレットＰＣ１５０・スマートホン１６０との間では、電力ラインＰＯＬおよび通信専用ラインＣＯＬを用いて電力伝送および通信データ伝送が可能である。
【０３４５】
高機能ＵＳＢＰＤアダプタ／チャージャ３３０には、同期ＦＥＴスイッチングコンバータを内蔵したＡＣ／ＤＣコンバータ６０Ａ・コントローラ１６・信号変換・切替回路２５が搭載される。その他の構成は、第３の電力供給システム３００（図６５）と同様である。
【０３４６】
実施の形態に係る電力供給装置を適用可能な電力供給システムにおいて、ＣＰＵ＋インタフェースボード１２２（１３２）内にコントローラ１６が内蔵される構成の模式的ブロック構成は、図６７に示すように表わされる。すなわち、図６３〜図６６に示された電力供給システム１００〜４００において、ＣＰＵ＋インタフェースボード１２２（１３２）内にコントローラ１６が内蔵されていても良い。この場合には、ＣＰＵ＋インタフェースボード１２２に電力ラインＰＯＬおよび通信専用ラインＣＯＬを用いて電力および通信データが伝送可能である。このようなＣＰＵ＋インタフェースボード１２２（１３２）内にコントローラ１６が内蔵されたチップは、コントローラを含んだＣＰＵやＤＳＰやその他のコントローラとの統合チップとしても構成可能である。
【０３４７】
以上説明したように、本実施の形態によれば、複数の機器に対して切替え可能で、かつ出力電圧値および出力可能電流量（ＭＡＸ値）を制御可能な電力供給装置、ＡＣアダプタ、ＡＣチャージャ、電子機器および電力供給システムを提供することができる。
【０３４８】
[その他の実施の形態]
上記のように、実施の形態によって記載したが、この開示の一部をなす論述および図面はこの実施の形態を限定するものであると理解すべきではない。この開示から当業者には様々な代替実施の形態、実施例および運用技術が明らかとなろう。
【０３４９】
このように、本実施の形態はここでは記載していない様々な実施の形態等を含む。
【産業上の利用可能性】
【０３５０】
本実施の形態の電力供給装置、ＡＣアダプタ、電子機器および電力供給システムは、家電機器、モバイル機器などに適用可能である。
【符号の説明】
【０３５１】
１…コンセント
２、５、４１Ｐ、４２Ｐ、５１、５２…プラグ
３…ＡＣアダプタ／ＡＣチャージャ
４、４Ａ、４１、４２、８５、８６、８７、８８、８９…電力供給装置（ＰＤ）
６…ＵＳＢＰＤケーブル
７…電子機器
１０…電源供給回路
１１…ヒューズ
１２…チョークコイル
１３、１３1、１３2、…、１３n、１１３1、１１３2、…、１１３n…ＤＣ／ＤＣコンバータ
１４…ダイオードブリッジ
１５…トランス
１６、１６Ａ、１６Ｂ、１６Ｅ、１６Ｉ、１６Ｐ、１６1、１６2…２次側コントローラ（コントローラ）
１７…電圧電流制御回路
２０、２０Ｃ、２０Ｍ…絶縁回路
２１…エラーアンプ
２５、２５Ｓ、２５Ａ、２５Ｂ、２５1、２５2…信号変換・切替回路
２５Ｐ…プロトコル変換部
２５Ｃ…通信回路
２６、２６0、２６1、２６2、２６3…送受信器
３０…１次側コントローラ
４１Ｒ、４２Ｒ、４３Ｒ、４４Ｒ、…リセプタクル
４４…増幅器
５３、６２、１５８…バッテリーチャージャＩＣ（ＣＨＧ）
５４、１１２…パワーマネージメントＩＣ（ＰＭＩＣ）
５６、５８…ユニット
６０、６０Ａ…ＡＣ／ＤＣコンバータ
６４…組込み型コントローラ（ＥＭＢＣ）
６６、１５４、１５７、１７２…バッテリー
６８、６８Ａ、６８Ｂ、１４８…ＣＰＵ
７０…負荷
７１、７２…内部回路
８１、８３…１次側ＯＰＰ回路部
８２、８４…２次側ＯＰＰ回路部
１１０…モニタ（ＴＶ、ドッキングステーション）
１１６、１１６1、１１６2…ポートセレクタ
１２０…外部ハードディスクドライブ（ＨＤＤ）
１２２、１３２…ＣＰＵ＋インタフェースボード
１２５…ＣＰＵ
１３０…パワー出力回路
１３２…ＣＰＵ＋インタフェースボード
１３４…負荷回路
１３６…バッファ
１４０…ラップトップＰＣ
１４２…ＮＶＤＣチャージャＩＣ
１４６…ＥＣ
１４７…ＰＣＨ
１５０…タブレットＰＣ
１５２、１７０…ＵＳＢリセプタクル
１５６、１６６…ＡＣＰＵ
１５９…ＤＣ／ＤＣコンバータ
１６０…スマートホン
１６１…周波数変換回路（ＦＳＫ）
１６２…ＵＳＢバッテリーチャージャＩＣ
１６４…送信器
１６５…受信器
１８０…セットトップボックス
２３０…ＵＳＢＰＤアダプタ
ＣＴ１、ＣＴ２、…、ＣＴｎ…制御端子
ＰＴ１、ＰＴ２、…、ＰＴｎ…ＶＢＵＳパワー出力端子
ＣC…結合キャパシタ
ＣO…出力キャパシタ
【図１】
0006510834.tif 000002
【図２】
0006510834.tif 000003
【図３】
0006510834.tif 000004
【図４】
0006510834.tif 000005
【図５】
0006510834.tif 000006
【図６】
0006510834.tif 000007
【図７】
0006510834.tif 000008
【図８】
0006510834.tif 000009
【図９】
0006510834.tif 000010
【図１０】
0006510834.tif 000011
【図１１】
0006510834.tif 000012
【図１２】
0006510834.tif 000013
【図１３】
0006510834.tif 000014
【図１４】
0006510834.tif 000015
【図１５】
0006510834.tif 000016
【図１６】
0006510834.tif 000017
【図１７】
0006510834.tif 000018
【図１８】
0006510834.tif 000019
【図１９】
0006510834.tif 000020
【図２０】
0006510834.tif 000021
【図２１】
0006510834.tif 000022
【図２２】
0006510834.tif 000023
【図２３】
0006510834.tif 000024
【図２４】
0006510834.tif 000025
【図２５】
0006510834.tif 000026
【図２６】
0006510834.tif 000027
【図２７】
0006510834.tif 000028
【図２８】
0006510834.tif 000029
【図２９】
0006510834.tif 000030
【図３０】
0006510834.tif 000031
【図３１】
0006510834.tif 000032
【図３２】
0006510834.tif 000033
【図３３】
0006510834.tif 000034
【図３４】
0006510834.tif 000035
【図３５】
0006510834.tif 000036
【図３６】
0006510834.tif 000037
【図３７】
0006510834.tif 000038
【図３８】
0006510834.tif 000039
【図３９】
0006510834.tif 000040
【図４０】
0006510834.tif 000041
【図４１】
0006510834.tif 000042
【図４２】
0006510834.tif 000043
【図４３】
0006510834.tif 000044
【図４４】
0006510834.tif 000045
【図４５】
0006510834.tif 000046
【図４６】
0006510834.tif 000047
【図４７】
0006510834.tif 000048
【図４８】
0006510834.tif 000049
【図４９】
0006510834.tif 000050
【図５０】
0006510834.tif 000051
【図５１】
0006510834.tif 000052
【図５２】
0006510834.tif 000053
【図５３】
0006510834.tif 000054
【図５４】
0006510834.tif 000055
【図５５】
0006510834.tif 000056
【図５６】
0006510834.tif 000057
【図５７】
0006510834.tif 000058
【図５８】
0006510834.tif 000059
【図５９】
0006510834.tif 000060
【図６０】
0006510834.tif 000061
【図６１】
0006510834.tif 000062
【図６２】
0006510834.tif 000063
【図６３】
0006510834.tif 000064
【図６４】
0006510834.tif 000065
【図６５】
0006510834.tif 000066
【図６６】
0006510834.tif 000067
【図６７】
0006510834.tif 000068